(57)【特許請求の範囲】
【請求項１】
絵柄を可変表示する絵柄表示手段と、
遊技機前面部に設けられ前記絵柄表示手段における絵柄の可変表示を視認可能とする表示部と、
操作された場合に前記絵柄の可変表示を開始させる始動操作手段と、
操作された場合に前記絵柄の可変表示を停止させる停止操作手段と、
遊技機前面部における前記表示部の下方に設けられたものであって、遊技球を貯留する球貯留領域及び球出口に向けて下り傾斜となるよう形成されその傾斜方向へ前記貯留される遊技球が整列するように誘導する球整列領域を有する球受け皿と、
前記球整列領域にて整列した遊技球を取り込む取込装置と
を備え、
同取込装置により予め定められた数の遊技球が取り込まれ、前記始動操作手段が操作された場合に前記絵柄の可変表示を開始し、前記停止操作手段の操作後における停止絵柄に応じて前記球受け皿に所定数の遊技球を払い出す遊技機において、
前記取込装置は、
前記球出口から流出した遊技球が通過する取込通路と、
同取込通路の所定位置にて流下する遊技球を受け止めることで前記取込通路の遊技球の通過を阻止し、駆動手段により駆動されることで前記取込通路の遊技球の通過を許容する球止め部材と、
同球止め部材の下流側に設けられ前記取込通路を通過する遊技球を検知する球検知手段と、
前記取込通路が形成されるとともに、前記球止め部材及び前記球検知手段を収容するハウジングと、
を備え、
前記ハウジングの外側部位には、前記取込通路における前記球止め部材よりも上流側を構成し、前記球止め部材に向けて下り傾斜となっているとともに上方に開放した上流側通路部が形成されており、
前記球整列領域は遊技機左右方向に延び、その左右方向の一端側に前記球出口が設けられており、
前記取込装置を前記上流側通路部が前記球出口側において前記球整列領域と横並びとなるよう設置するとともに、その設置領域に対して着脱可能な構成とし、
前記球受け皿におけるその途中位置から前記ハウジングにおける前記上流側通路部までの上面開放側を覆う透明なカバー部材を備え、
前記カバー部材と前記上流側通路部とが離反可能なように構成し、
前記球整列領域、前記球出口及び前記上流側通路部を前記表示部よりも遊技機奥側に配置し、遊技機前面部における前記表示部と前記球受け皿との間に、前記表示部よりも遊技機奥側であって前記球受け皿の奥側縁部よりも前側に位置するように後退壁部を設け、
前記カバー部材の上方から前記上流側通路部及び前記球整列領域を照らす発光手段を備えていることを特徴とする遊技機。
【発明の詳細な説明】
【技術分野】
【０００１】
本発明は、遊技機に関するものである。
【背景技術】
【０００２】
遊技機の一種として、複数の図柄を外周面に付したリール装置を備え、遊技者による始動操作に伴いリール装置の回転（図柄の可変表示）を開始し、同じく遊技者による停止操作に伴いリール装置の回転を停止させるようにしたスロットマシン（回胴遊技機）が知られている。該スロットマシンでは、遊技媒体としてメダルを用いており、遊技機前面部に設けられた表示部を介して視認可能な領域に表示されるリール装置の停止図柄が所定の小役成立図柄に合致すると、都度の成立役に対応して所定枚数のメダルが払い出される。また、リール装置の停止図柄が特定図柄である場合に、例えばビッグボーナスゲームのような遊技者に有利な所定のゲーム（特別遊技状態）が発生する。
【０００３】
また近年、メダルの代わりにパチンコ機で使用される遊技球を用いて上記スロットマシンに似通った遊技を行うことのできる球使用回胴遊技機が考えられている（例えば、特許文献１参照）。かかる遊技機では、島設備等からの遊技球の貸出が球受け皿に対して行われる。そして、遊技者による遊技球のベット操作に伴い球受け皿内の遊技球が予め定められた数取り込まれた後に始動操作が行われることでリール装置の回転（表示装置における図柄の可変表示）が開始される。このリール装置の停止図柄が小役成立図柄に合致すると、都度の成立役に対応して所定個数の遊技球が球受け皿に払い出される。本遊技機をスロットマシンに代えて使用すれば、パチンコホール等の遊技ホールにおいて遊技球をパチンコ機と共通の遊技媒体として取り扱うことができるとともにスロットマシンの遊技性を維持することができる。またこの場合、パチンコ機とスロットマシンとが混在している現在の遊技ホールにおいて多く見られる、メダルと遊技球との別個の取扱による設備上の負担や遊技機設置場所の制約といった問題を解消し得るし、パチンコ機の島に当該遊技機を設置したりする等の柔軟性が生じる利点がある。
【０００４】
上記球使用回胴遊技機は、遊技球を取り込むための取込装置を具備しており、球受け皿の球出口から流出した遊技球は取込装置内に設けられた取込通路に導入される。取込通路には、例えば電動アクチュエータ等により駆動されることで遊技球の通過を阻止又は許容する球止め部材が設けられている。そして、当該球止め部材により通過が許容されることで取込通路を遊技球が通過し、この通過がセンサにより検知される。
【特許文献１】特開２００１−１１２９２２号公報
【発明の開示】
【発明が解決しようとする課題】
【０００５】
ここで、例えば取込装置に不正用冶具を挿入し、遊技球の通過を誤検知させることにより遊技球を取り込ませることなく遊技を行う不正行為が行われる場合がある。
【０００６】
本発明は、上記例示した事情等に鑑みてなされたものであり、不正用冶具を用いた取込装置に対する不正行為を抑制することができる遊技機を提供することを目的とするものである。
【課題を解決するための手段】
【０００７】
上記課題を解決するため、請求項１に記載の発明は、絵柄を可変表示する絵柄表示手段と、遊技機前面部に設けられ前記絵柄表示手段における絵柄の可変表示を視認可能とする表示部と、操作された場合に前記絵柄の可変表示を開始させる始動操作手段と、操作された場合に前記絵柄の可変表示を停止させる停止操作手段と、遊技機前面部における前記表示部の下方に設けられたものであって、遊技球を貯留する球貯留領域及び球出口に向けて下り傾斜となるよう形成されその傾斜方向へ前記貯留される遊技球が整列するように誘導する球整列領域を有する球受け皿と、前記球整列領域にて整列した遊技球を取り込む取込装置とを備え、同取込装置により予め定められた数の遊技球が取り込まれ、前記始動操作手段が操作された場合に前記絵柄の可変表示を開始し、前記停止操作手段の操作後における停止絵柄に応じて前記球受け皿に所定数の遊技球を払い出す遊技機において、前記取込装置は、前記球出口から流出した遊技球が通過する取込通路と、同取込通路の所定位置にて流下する遊技球を受け止めることで前記取込通路の遊技球の通過を阻止し、駆動手段により駆動されることで前記取込通路の遊技球の通過を許容する球止め部材と、同球止め部材の下流側に設けられ前記取込通路を通過する遊技球を検知する球検知手段と、前記取込通路が形成されるとともに、前記球止め部材及び前記球検知手段を収容するハウジングと、を備え、前記ハウジングの外側部位には、前記取込通路における前記球止め部材よりも上流側を構成し、前記球止め部材に向けて下り傾斜となっているとともに上方に開放した上流側通路部が形成されており、前記球整列領域は遊技機左右方向に延び、その左右方向の一端側に前記球出口が設けられており、前記取込装置を前記上流側通路部が前記球出口側において前記球整列領域と横並びとなるよう設置するとともに、その設置領域に対して着脱可能な構成とし、前記球受け皿におけるその途中位置から前記ハウジングにおける前記上流側通路部までの上面開放側を覆う透明なカバー部材を備え、前記カバー部材と前記上流側通路部とが離反可能なように構成し、前記球整列領域、前記球出口及び前記上流側通路部を前記表示部よりも遊技機奥側に配置し、遊技機前面部における前記表示部と前記球受け皿との間に、前記表示部よりも遊技機奥側であって前記球受け皿の奥側縁部よりも前側に位置するように後退壁部を設け、前記カバー部材の上方から前記上流側通路部及び前記球整列領域を照らす発光手段を備えていることを特徴とする。
【発明の効果】
【０００８】
本発明によれば、不正用冶具を用いた取込装置に対する不正行為を抑制することができる。
【発明を実施するための最良の形態】
【０００９】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【００１０】
手段１．遊技機前面部に設けられた窓部（透明パネル１３）を介して絵柄を可変表示する絵柄表示装置（リール装置５０３）と、
同絵柄表示装置における絵柄の可変表示を開始させるべく操作される始動操作手段（スタートレバー３３）と、
同絵柄の可変表示を停止させるべく操作される停止操作手段（ストップスイッチ３５〜３７）と、
前記遊技機前面部における前記窓部の下方にて左右方向に延び遊技球を貯留する球受け皿（上皿１５１）と、
同球受け皿から流出する遊技球を取り込む取込装置（取込装置３０１〜３０３）と
を備え、
同取込装置により予め定められた数の遊技球が取り込まれ、且つ前記始動操作手段が操作された場合に前記絵柄の可変表示を開始し、前記停止操作手段の操作後における停止絵柄に応じて前記球受け皿に所定数の遊技球を払い出す遊技機において、
前記球受け皿には、その奥側領域（奥側領域Ｒ２）に前記取込装置に向けて遊技球を整列させて案内する出口通路（案内通路１７１〜１７３）を備え、
同出口通路が前記窓部よりも奥側となるように前記球受け皿を配置すると共に、それに合わせて前記取込装置を前記窓部よりも奥側に配置し、
少なくとも前記出口通路を照らす発光手段（蛍光管５５４）を設けたことを特徴とする遊技機。
【００１１】
手段１の遊技機では、取込装置により球受け皿に貯留された遊技球が予め定められた数取り込まれ、さらに始動操作手段が操作された場合に絵柄表示装置における絵柄の可変表示が開始される。そして、停止操作手段の操作後における停止絵柄に応じて球受け皿に所定数の遊技球が払い出される。
【００１２】
この場合に、球受け皿の奥側領域に形成された出口通路は窓部よりも奥側にあり、それに合わせて取込装置も窓部よりも奥側にある。つまり、出口通路は奥まった位置に配置され、取込装置は遊技機前面部に対して奥側に離間された位置に配置されている。よって、取込装置に対して不正用冶具を挿入しようとしてもその挿入作業が行いづらくなり、当該不正用冶具を用いた不正行為を抑制することができる。
【００１３】
かかる構成において、発光手段からの光により少なくとも出口通路が照らされる。よって、窓部によって出口通路が暗くなっていたとしても、そこを明るく照らすことができる。以上より、出口通路が窓部よりも奥側に配置された構成において、出口通路にある遊技球の視認性を向上させることができる。
【００１４】
手段２．手段１において、遊技機の電源がオンとなっている間は前記発光手段に駆動電源が供給されるよう構成したことを特徴とする遊技機。
【００１５】
手段２によれば、遊技機の電源がオンとなっている間は発光手段から光が照射されることとなる。よって、遊技機による遊技が可能な状況下においては、常に出口通路にある遊技球の視認性を向上させることができる。
【００１６】
手段３．手段１において、前記発光手段の発光制御を行う発光制御手段を備え、同発光制御手段は前記発光手段のオン制御を少なくとも前記絵柄の可変表示の停止後の所定期間実行することを特徴とする遊技機。
【００１７】
手段３によれば、絵柄の可変表示の停止後の所定期間は発光手段から光が照射されることとなる。これにより、１の遊技回の終了後は所定期間、出口通路にある遊技球の視認性を向上させることができ、持ち球が残っているのに遊技を止めてしまったり、遊技を行う上で十分な持ち球が残っているのにそれに気づかず新たに遊技球の貸出操作を行ってしまうといった不都合の発生を抑制することができる。
【００１８】
手段４．手段１乃至手段３のいずれかにおいて、前記出口通路を左右方向に延びるように形成し、
前記発光手段は、横長形状をなす発光体であり、その左右両端が前記出口通路の左右両端よりも外側となる長さ寸法を有することを特徴とする遊技機。
【００１９】
手段４によれば、出口通路の全体をより鮮明に照らすことができる。よって、出口通路にある遊技球の視認性を向上させることができる。
【００２０】
手段５．手段１乃至手段４のいずれかにおいて、前記窓部と前記球受け皿とを上下方向に離間させて配置し、
前記遊技機前面部における前記窓部と前記球受け皿との間に、前記出口通路よりも手前側であって前記窓部よりも後退した後退壁部（横長窓部５０）を設けたことを特徴とする遊技機。
【００２１】
当該遊技機においては絵柄の可変表示を視認しながら停止操作手段を操作することで所望の絵柄を停止させることを遊技の特徴としているため、遊技者の目の高さは窓部の高さにあるのが一般的である。この場合に、手段５によれば、窓部が球受け皿の真上まで延設されているのではなく、窓部と球受け皿との間には窓部よりも後退した後退壁部が設けられているため、出口通路への視界を確保することができる。また、後退壁部は出口通路よりも手前側にあるので、出口通路が奥まった位置に配置された状態は維持され、上記不正行為の抑制効果が消失されることはない。
【００２２】
手段６．手段５において、前記後退壁部はその少なくとも一部が透明性を有し、
さらに、前記発光手段の光が透過可能な材料からなり、前記後退壁部の透明性を有する部位に装飾又は遊技情報を表示する表示手段（パネル５５９）を設け、
前記発光手段は前記表示手段の奥側から光を照射することを特徴とする遊技機。
【００２３】
手段６によれば、発光手段が後退壁部の位置にて表示される装飾又は遊技情報に対してバックライトとして機能する。よって、装飾又は遊技情報を明るく照らすことができ、さらには装飾効果を付与することも可能である。また、上述したとおり、発光手段からの光により出口通路が照らされ、出口通路にある遊技球の視認性が向上される。つまり、両者の機能を一の発光手段に共用化させることができ、各機能毎に発光手段を設ける構成に比べ、部材点数の削減を図ることができる。
【００２４】
なお、「表示手段」は、後退壁部の透明性を有する部位に直接塗布されるインクなどのように後退壁部と一体のものであってもよく、装飾又は遊技情報が付与されたパネルなどのように後退壁部と別体のものであってもよい。また、別体の構成においては、後退壁部に直接貼り付けられた構成であってもよく、後退壁部から離して設ける構成であってもよい。
【００２５】
手段７．手段６において、前記後退壁部及び前記球受け皿の奥側端部（奥側壁部１６２ａ）の間にて遊技機内部が遊技機前面側に開放されないように両者を連結する連結板部（上覆い板１５７）を備え、
同連結板部を前記発光手段からの光が透過可能な材料により形成し、
さらに、前記発光手段を、前記表示手段の後方であって前記連結板部の上方に配置すると共に、同発光手段を、少なくとも前方及び下方に前記光を照射する発光体により構成したことを特徴とする遊技機。
【００２６】
手段７によれば、連結板部が設けられていることにより、球受け皿の出口通路が窓部よりも奥側となるよう構成したとしても後退壁部と球受け皿の奥側端部との間にて遊技機内部が遊技機前面側に開放されることはない。よって、後退壁部と球受け皿の奥側端部との間から不正用冶具を挿入しようとしたとしても、それが阻止される。
【００２７】
この場合に、発光手段は表示手段の後方であって連結板部の上方に配置されており、さらに発光手段は少なくとも前方及び下方に光を照射する発光体により構成されている。また、連結板部は発光手段からの光を透過可能な材料により形成されている。したがって、発光手段からの光を案内するための案内手段を設けることなく簡易な構成により、表示手段と出口通路とを同時に照らすことができる。
【００２８】
手段８．手段６又は手段７において、前記絵柄表示装置は、周方向に周回すると共に、同周方向に複数種の絵柄が配列された複数の周回体（リール５４１〜５４３）を備え、制御装置（主制御装置５０５）による制御に基づいて前記各周回体の回転開始及び回転停止を実行する構成とし、
さらに、前記遊技機前面部を構成する遊技機前面体（ドアブロック４）と、同遊技機前面体に対して後退又は取り外し可能に支持されたベース体（前面枠５０１）に前記絵柄表示装置及び前記制御装置が搭載された絵柄表示ユニット（面替えブロック５）とを備え、
前記ベース体に、前記表示手段を設けると共に、前記発光手段を配設したことを特徴とする遊技機。
【００２９】
手段８によれば、始動操作手段が操作されることにより制御装置に制御されて各周回体が回転を開始し、停止操作手段が操作されることにより制御装置に制御されて各周回体が回転を停止する。かかる遊技機では、周回体の回転に伴う絵柄の可変表示を視認しながら停止操作手段を操作することで所望の絵柄を停止させることを遊技の特徴としており、各周回体に配列された複数種の絵柄は遊技機の機種毎に特徴的なものとなっている。また、制御装置による制御内容も遊技機の機種毎に特徴的なものとなっている。これに対して、球受け皿や取込装置は遊技機の機種毎に特徴的なものではなく、各機種毎に共用化することが可能である。この場合に、絵柄表示装置及び制御装置をベース体に搭載して絵柄表示ユニットとし、さらに当該絵柄表示ユニットを遊技機前面体に対して後退又は取り外し可能に支持させることで、遊技機の機種交換に際しては絵柄表示ユニットの交換を行うだけでよく、当該交換作業の作業性が高められる。また、遊技機前面体等をリユースすることができるので、遊技機を構成する部材のリユース性が高められる。
【００３０】
この場合に、表示手段の装飾又は遊技情報は、機種毎に特徴的なものとなっている。また、発光手段からの光により前記装飾又は遊技情報に対して装飾効果が付与されるため、機種毎に発光手段からの光の色などが設定され、機種毎に特徴的なものとなっている。従って、表示手段及び発光手段を絵柄表示ユニットのベース体に設けることで、絵柄表示ユニットとしての上記機能が効果的に発揮される。
【００３１】
手段９．手段１乃至手段８のいずれかにおいて、前記取込装置には、前記球受け皿から流下した遊技球が自重により流下する遊技球取込用通路（入口通路３０５〜３０７、取込通路３１５）と、駆動手段（ソレノイド３２５）により駆動されて前記遊技球取込用通路の遊技球の通過を阻止又は許容する球止め部材（取込ゲート部材３２０）と、同球止め部材の下流側にて前記遊技球取込用通路を通過する遊技球を検知する球検知手段（センサユニット３７０）とを有し、
前記遊技球取込用通路における前記球止め部材よりも上流側の上流通路（入口通路３０５〜３０７）内が遊技機前面側から視認可能となるように、前記取込装置を前記球受け皿に対して横並びで配置すると共に、前記上流通路の上方に位置する遊技機構成体（カバー部材１５２）を透明材料で形成し、
前記発光手段からの光により前記上流通路を照らしたことを特徴とする遊技機。
【００３２】
手段９によれば、球受け皿から流出した遊技球は遊技球取込用通路に導入され、駆動手段に駆動されることで球止め部材が遊技球取込用通路の通過を許容することでその導入された遊技球が遊技球取込用通路を通過する。この通過する遊技球は球検知手段により検知され、予め定められた数の遊技球が検知されることにより遊技の開始が許容される。
【００３３】
本構成において、取込装置が球受け皿に対して横並びで配置されていると共に、上流通路の上方に位置する遊技機構成体が透明材料で形成されていることにより、上流通路内が遊技機前面側から視認可能となっている。そして、発光手段からの光により上流通路が照らされることにより、窓部によって上流通路が暗くなっていたとしても、そこを明るく照らすことができる。よって、上流通路にある遊技球の視認性を向上させることができる。仮に、上流通路にある遊技球が視認困難な構成においては、遊技者が上流通路の遊技球の存否を確認することが困難なものとなるため、まだ遊技球が残っているのにそれに気づかず遊技を止めてしまうなどの不都合が発生し得る。これに対して、上記のとおり、上流通路にある遊技球の視認性を向上させることで、上記不都合の発生を抑制することができる。
【００３４】
手段１０．手段９において、前記取込装置は、前記遊技球取込用通路が形成されると共に、前記球止め部材及び前記球検知手段を収容するハウジング（ハウジング３１１，３１２）を備え、
さらに、前記上流通路を前記球止め部材に向けて下り傾斜した底面上を遊技球が転動して流下するよう形成すると共に、前記上流通路の前記底面が前記ハウジング外部に露出されるように前記ハウジングの上部を上方に開放し、
前記遊技機構成体は、前記上流通路内にて遊技球が積み重なるのを防止すべく同上流通路の上面開放側を覆うカバー体であることを特徴とする遊技機。
【００３５】
手段１０によれば、上流通路の底面がハウジング外部に露出されるようにハウジングの上部が上方に開放されており、さらにその上面開放側を覆うカバー体が透明材料で形成されていることにより、上流通路が遊技機前面側から視認可能となっている。
【００３６】
また、上流通路を通過する遊技球はその底面上を傾斜に沿って転動する構成であることにより、上流通路にて連なる遊技球の重量負荷の一部が上流通路の底面により受けられ、これら遊技球の球止め部材に対する重量負荷が軽減される。よって、球止め部材の故障の発生を抑制することができる。
【００３７】
また、取込装置では遊技回毎に予め定められた数の遊技球が取り込まれるため、遊技が行われる上で上流通路を通過する遊技球数は比較的多くなる。よって、上流通路の底面に埃などが溜まり易い。そして、埃などが溜まると上流通路の遊技球の通過が阻害されてしまうおそれがある。また、埃などが１塊となって下流側へ流れ、球検知手段によりそれが遊技球の通過と誤検知されるおそれがある。さらには、埃などが球止め部材側にまで溜まり、当該球止め部材の動作不良を引き起こすおそれがある。従って、上流通路の底面を定期的に掃除する必要がある。かかる事情において、上記のとおり、ハウジングの上部が上方に開放されていることにより、上流通路の底面がハウジング外部に露出されている。従って、遊技機から取込装置を取り外すことで容易に上流通路の底面を掃除することができ、上流通路のメンテナンスの作業性向上を図ることができる。
【００３８】
また、上流通路の底面がハウジング外部に露出された構成において、カバー体が設けられているのでメンテナンス時ではない通常時に上流通路にて遊技球が積み重なるのが防止される。これにより、上流通路を遊技球が円滑に流下する。
【００３９】
なお、「遊技球の積み重なりの防止」は、カバー体により上流通路の高さ方向寸法を遊技球２個分未満とすることにより実現可能である。
【００４０】
手段１１．手段１０において、前記球検知手段を光学式のセンサとすると共に、同球検知手段を前記球止め部材に近接させて配置し、
前記ハウジングは、前記球検知手段の上方に遮光性を有する外壁（延出壁３１８）を備えたことを特徴とする遊技機。
【００４１】
手段１１によれば、球検知手段が光学式のセンサであるため、外部からの光が入り込むと遊技球の検知を正確に行えなくなる。そして、上流通路の底面が遊技機前面側から視認可能となるようにカバー体が透明材料で形成されており、さらに球検知手段が球止め部材に近接させて配置されているため、球受け皿の出口通路や上流通路を照らす発光手段からの光が球検知手段の位置まで入り込むおそれがある。これに対して、ハウジングにおける球検知手段の上方には遮光性を有する外壁が形成されているので、上記光が球検知手段の位置まで入りづらくなる。よって、上流通路にある遊技球を遊技機前面側から視認可能とした構成において、球検知手段にて遊技球の検知が正確に行えなくなることを抑制することができる。
【００４２】
手段１２．手段１乃至手段１１のいずれかにおいて、前記取込装置を複数並設すると共に、前記出口通路を前記取込装置の数と同数設けたことを特徴とする遊技機。
【００４３】
手段１２によれば、取込装置が複数並設されていることにより、予め定められた数の遊技球を取り込むのに要する時間が短縮化される。また、出口通路を取込装置の数と同数設けることにより、球受け皿にて取込装置と同数の一連の遊技球列を確実に形成させることができ、各取込装置への遊技球の供給を円滑に行うことができる。
【００４４】
但し、本構成においては、出口通路に多数の遊技球が待機されることとなる。この場合に、出口通路にある遊技球が視認困難であり、まだ遊技球が残っているのにそれに気づかず遊技を止めてしまうと、その際に遊技者が被る不利益が大きくなる。これに対して、上記手段１の構成を備えていることにより、かかる不利益の発生を抑制することができる。
【００４５】
以下に、遊技球を遊技媒体として用いて遊技を行う遊技球使用回胴遊技機に関する一実施の形態につき図面に基づいて説明する。
【００４６】
本実施の形態における遊技機は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている。本遊技機には、遊技ホール等においてパチンコ機と共通の遊技球供給システムから遊技球の供給がなされるようになっており、パチンコ機が設置される既存の島設備（パチンコ島）に本遊技機を設置することが可能となっている。
【００４７】
まず、遊技機１の外観構成及び内部構造の概略を説明する。ここで、図１は遊技機１の全体を示す斜視図、図２は遊技機１の正面図、図３及び図４は遊技機１の内部開放状態を示す斜視図、図５は遊技機１の背面図である。なお以下の説明においては、特に注記しない限りは、遊技機１の正面から見た状態を基準として左右上下などの方向を記載することとする。
【００４８】
遊技機１は、本体枠としての外枠２と、この外枠２に対して前方に回動可能に取り付けられた遊技機主部３とを有する。外枠２は木製の板材を四辺に連結し構成されるものであって、全体として矩形状をなしている。本遊技機１を遊技ホールに設置する際には、外枠２が島設備に取り付け固定される。外枠２を合成樹脂やアルミニウム等の金属によって構成することも可能である。図３等では隠れて図示されていないが、外枠２を構成する四辺の板材のうち右辺の板材には、その内側上下２カ所に、後述するドアブロック４に設けた施錠部材（詳しくは鉤金具１２５，１２６）を係止するための鉤受け金具が設けられている。
【００４９】
遊技機主部３は、扉体ユニットであるドアブロック４と、絵柄表示ユニットである面替えブロック５と、遊技球の払出ユニットである払出ブロック６とから構成されている。ドアブロック４には上下２カ所にヒンジ金具８が設けられており、このヒンジ金具８と外枠２側の上下２カ所の支持金具９とにより、ドアブロック４（遊技機主部３）が外枠２に対して回動可能に支持されている。この場合、遊技機１を正面から見て左側に回動軸線が設けられる構成となっており、遊技機主部３は正面から見て右側を回動先端部として開放される。外枠２に対して遊技機主部３が閉じた状態では、ドアブロック４の外周縁部の背面が外枠２の前面に当接するようになっている。
【００５０】
面替えブロック５はドアブロック４の背面側に取り付けられ、更に面替えブロック５を背面側から覆うようにして払出ブロック６が取り付けられている。これら面替えブロック５と払出ブロック６はドアブロック４の一部にそれぞれ回動可能に支持されており、外枠２に対してドアブロック４と一体で回動可能となるとともに、ドアブロック４に対して各々個別に回動可能となる構造を有する。
【００５１】
ここで、遊技機主部３を構成する上記の各部材について相対的な位置関係と動作状態を簡単に説明する。図６は遊技機主部３を模式的に示す図面であり、（ａ）は遊技機主部３を背面側から見た図、（ｂ），（ｃ）はドアブロック４に対する面替えブロック５と払出ブロック６の開放動作状況を示す図である。
【００５２】
（ａ）に示すように、ドアブロック４に対して面替えブロック５や払出ブロック６を開放動作させるための軸線ＡＸ１が図の右側（正面から見ると左側）に設定されている。この軸線ＡＸ１は、面替えブロック５を支持するための軸線と払出ブロック６を支持するための軸線とを兼ねるものとなっている。この場合、図示のＭ１１，Ｍ１２は面替えブロック５を支持するための支持手段であり、Ｍ２１，Ｍ２２，Ｍ２３は払出ブロック６を支持するための支持手段である。つまり、面替えブロック５用の支持手段Ｍ１１，Ｍ１２は同軸となるよう上下各位置に設けられるとともに、払出ブロック６用の支持手段Ｍ２１〜Ｍ２３も同様に同軸となるよう上下各位置に設けられており、払出ブロック６用の支持手段Ｍ２１，Ｍ２２に挟まれるようにして前記支持手段Ｍ１１，Ｍ１２が配置されている。また特に、これら各ブロック５，６の各支持手段は全て同軸となるよう設けられている。
【００５３】
上記構成により、（ｂ），（ｃ）の各動作が可能となっている。（ｂ）では、ドアブロック４に対して面替えブロック５と払出ブロック６とを一体的に開放動作させている。また（ｃ）では、（ｂ）の状態から、面替えブロック５と払出ブロック６とを分離させ、面替えブロック５を前方側に回動動作させている。
【００５４】
（ドアブロック４の説明）
次に、ドアブロック４を図７等を用いて詳細に説明する。ここで、図７はドアブロック４を後方から見た斜視図、図８，図９はドアブロック４の主要な構成を分解してそれらを前方から及び後方から示す斜視図である。なお以下のドアブロック４の説明では、図７〜図９以外にも、前述の図１や図２等を適宜用いることとする。
【００５５】
ドアブロック４において、前扉体１１は、前記外枠２とほぼ同等の大きさ（縦寸法及び横寸法）を有し、その背面側に重なるようにして内枠１２が取り付けられている。前扉体１１及び内枠１２はいずれも合成樹脂材料により成形されており、背後より複数箇所でネジ締めすることにより結合されている。ただし、ドアブロック４の剛性を高めるべく、内枠１２を金属材料により成形することも可能である（例えばアルミダイキャストにより成形する）。
【００５６】
そして、前扉体１１及び内枠１２の背面側から透明パネル１３やパネル支持部材１４が組み付けられている。また、前扉体１１及び内枠１２の背面側には、上皿ユニット１５や取込ユニット１６が装着されている。
【００５７】
（前扉体１１の説明）
前扉体１１は、後述するリール図柄や液晶図柄等を視認可能とする図柄視認部、遊技に際し遊技者により手動操作される操作部、上皿部で余剰となった遊技球などを貯留するための下皿部などを備える。以下、前扉体１１と内枠１２とを拡大して示す斜視図（図１０，図１１）等を参照して前扉体１１の詳細な構成を説明する。
【００５８】
すなわち、図１０等に示すように、前扉体１１の上半部には、図柄視認部として略台形状をなす視認窓２１が形成されている。この視認窓２１には、平坦な透明板よりなりかつ視認窓２１とほぼ同形状をなす透明パネル１３（図８参照）がはめ込まれるようになっており、この透明パネル１３を介してその内方が視認可能となっている。視認窓２１は、前扉体１１においてその前面部のほぼ上半分の領域で設けられており、こうした比較的大型に構成される視認窓２１によれば、大型の液晶表示装置を用いた画像の表示演出によって遊技者に多大なインパクトを与えることが可能になることに加え、本遊技機１の主表示装置たるリール装置の図柄の視認性が良好なものとなっている。
【００５９】
ここで、透明パネル１３は、前扉体１１に対して背面側から取り付けられ、パネル支持部材１４により固定されるようになっている。詳しくは、パネル支持部材１４は、視認窓２１や透明パネル１３と同形状の開口部を有する枠体として構成されており、その左右上下の各枠部分にはそれぞれネジ孔等を有する固定支持部１４ａが形成されている。かかる場合、前扉体１１に対して内枠１２を組み付けた状態で、その背面側から透明パネル１３とパネル支持部材１４とを装着し、固定支持部１４ａにおいてネジ締め等を行うことよりパネル支持部材１４を固定する。これにより、前扉体１１の視認窓２１を囲む周囲部分とパネル支持部材１４とにより透明パネル１３の周縁部が挟持され、前扉体１１に対する透明パネル１３の装着が完了する。
【００６０】
前扉体１１の前面側において、視認窓２１の左右側方部及び上方部には囲い部２３が設けられており、この囲い部２３には中央ランプ部２４と左右一対の側方ランプ部２５とが設けられるとともに、前扉体１１の右上隅部及び左上隅部にスピーカ部２６が設けられている。遊技に際しては、これらランプ部２４，２５やスピーカ部２６により、その都度の遊技状況に応じたランプ演出や音声演出等が行われる。すなわち、ランプ部２４，２５による発光色や発光パターンを適宜変更したり、スピーカ部２６による音声パターンを適宜変更したりすることで、役の成立等が遊技者に告知される。また、このランプ部２４，２５やスピーカ部２６を用いて、エラー告知等を行うことも可能である。
【００６１】
ちなみに、前記視認窓２１は、前扉体１１の左右幅に対して囲い部２３（左右の側方ランプ部２５）を除く範囲で設けられており、故に視認窓２１は左右に幅広いものとなっている。また言い加えると、視認窓２１は、後述するリール装置や液晶装置の横幅よりも幅広となっている。
【００６２】
視認窓２１の下方には、遊技者により操作される各種操作部材等を配備した操作部３０が設けられている。この操作部３０は、全体として横長状をなしかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部において、向かって左寄りの位置（概ねスタートレバー３３と左側のストップスイッチ３５との間）には、前面板部３１から後方に出っ張るようにしてベットスイッチ取付板部３２が形成されており、その取付板部３２にボタン状のベットスイッチ３８が取り付けられている。
【００６３】
ベットスイッチ３８は、遊技者によるベット（賭数）の設定を行わせるものであり、その押し操作により上皿１５１に貯留された遊技球が所定個数分取り込まれる。本実施の形態では、ベットスイッチ３８として、いわゆるＭＡＸベットスイッチを設けており、有効な１回の押し操作により３ベット相当（１５個分）の遊技球が取り込まれる。ベットスイッチ３８は、投資価値としての遊技球の投入を指令する投入指令手段を構成する。なお、ＭＡＸベットスイッチとしてのベットスイッチ３８の他に、１ベットスイッチや２ベットスイッチを設ける構成であっても良い。ちなみに、１ベットスイッチは、１回の押し操作により１ベット相当（５個分）の遊技球を取り込ませるためのベットスイッチであり、２ベットスイッチは、１回の押し操作により２ベット相当（１０個分）の遊技球を取り込ませるためのベットスイッチである。
【００６４】
スタートレバー３３は、後述するリール装置５０３の各リール（回転体）を回転開始させるための操作部材であり、各リールを回転開始、すなわち図柄の可変表示を開始させるべく操作される始動操作手段を構成する。
【００６５】
ストップスイッチ３５〜３７は、停止対象となるリール（左、中、右の三列のリール）に対応するよう設けられており、回転中の各リールを個別に停止させるために操作される停止操作手段を構成する。各ストップスイッチ３５〜３７は、各リールが定速回転となると停止させることが可能な状態となり、その状態で押し操作される。また、停止操作可能な状態中には図示しないランプが点灯表示されることによって停止操作が可能であることが報知され、各リールの回転が停止すると消灯されるようになっている。
【００６６】
操作部３０の後方には、前記前面板部３１とほぼ同じ長さを有し上方に開口した横長状の開口部４１が形成されている。この開口部４１は、前扉体１１に上皿ユニット１５を装着した場合に上皿１５１を配するための開口領域であり、開口部４１の左右方向の幅寸法は上皿１５１の左右方向の幅寸法に概ね合致し、同開口部４１の前後方向の幅寸法は上皿１５１の前後方向の幅寸法よりも若干短いものとなっている。なお、開口部４１の左右方向の幅寸法は、視認窓２１の左右方向の幅寸法よりも若干短くなっている。
【００６７】
操作部３０の前面板部３１には、正面から見て右下部に切欠部４２が形成されている。この切欠部４２は、後述する排出操作伝達装置１５４の操作レバー１９８を設置するための設置スペースとなっている。
【００６８】
前記視認窓２１（透明パネル１３）と操作部３０との間には、左右方向に延びる横長窓部５０が設けられている。横長窓部５０は、視認窓２１（透明パネル１３）よりも奥側に位置し、その左右方向の幅寸法は視認窓２１の左右方向の幅寸法、及び開口部４１の左右方向の幅寸法よりも若干短くなっている。横長窓部５０の右方には上下２つの小穴５１，５２が設けられている。この小穴５１，５２は、後述する操作スイッチ５１８，５１９を露出させて押し操作可能とするための孔部である。
【００６９】
前扉体１１において、横長窓部５０の左右の側方部には、その上方の囲い部２３に比して奥側に後退するようにして弧状の凹み部６１が設けられており、その凹み部６１には、外枠２に対する遊技機主部３（ドアブロック４）の施錠及び解錠を行うための施錠部材（詳細には、後述する内枠１２に設けたキーシリンダ１３７）を前方に露出させるためのキーシリンダ設置穴６２が形成されている。
【００７０】
図１等で確認できるとおり左右の凹み部６１は上皿１５１の直ぐ上方に位置する。そのため、仮に遊技ホールにおいて球貸しユニットから延びる球貸しノズル（いわゆる象の鼻）を介して上皿１５１に遊技球が貸し出されるような場合にも、その球貸しノズルと前扉体１１との干渉を回避することができる。故に、遊技ホールでの設置状況を考えても有益な構成となっている。
【００７１】
更に、前扉体１１において、操作部３０の下方には、前記囲い部２３及び凹部６１に意匠形状が連続するようにして膨出部７０が形成されており、その膨出部７０に囲まれるようにして下皿７１と灰皿７２が形成されている。膨出部７０に囲まれた奥壁部７３には下皿排出口７４とスピーカ穴７５とが形成されている。上皿１５１やその上流通路に遊技球が満タンに貯留されている状態であって更に払出装置から遊技球が払い出される場合、或いは、上皿１５１内に貯留されている遊技球に対して球抜き操作が行われる場合には、下皿排出口７４を介して下皿７１に遊技球が排出される。
【００７２】
下皿７１の底部には開口が形成されており、その開口には開閉板７６が設けられている。また、膨出部７０の略中央部には下皿用の球抜き操作片７７が設けられている。球抜き操作片７７は、下皿７１に貯留している遊技球を下皿７１の下方に置かれた球収容箱（いわゆるドル箱）に排出するための操作片であり、図示する通常位置から左方に操作されることで前記開閉板７６が開位置にスライド移動し、下皿７１内の遊技球の排出が行われる。その他、膨出部７０において下皿７１の左右両側方には下皿ランプ部７８が設けられている。
【００７３】
図１１に示すように、前扉体１１の背面側の構成として、前記視認窓２１の左右両側には前記側方ランプ部２５を収容するランプ収容部９１が設けられている。ランプ収容部９１は略角柱状をなしており、透明パネル１３を前扉体１１に取り付ける際にはランプ収容部９１の内側面に沿うようしてパネル支持部材１４が装着されるようになっている。
【００７４】
また、前扉体１１の背面側上部位置には左右一対の上部スピーカ９２が設けられている。上部スピーカ９２は、前扉体１１の前面側に設けたスピーカ部２６の後方に設けられる音源であり、この上部スピーカ９２の音声がスピーカ部２６から遊技機前方に発せられるようになっている。
【００７５】
前扉体１１の背面側から見て横長窓部５０の下方には、上皿ユニット１５の上皿１５１を収容するための上皿収容部９３が設けられている。上皿収容部９３は、左右方向に延び、その前方で前記開口部４１（前扉体１１の前面側の開口領域）に通じるように設けられている。
【００７６】
（内枠１２の説明）
図１０や図１１に示すように、内枠１２は、前扉体１１と相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、内枠１２の背面側には、下枠部１０４の上縁部の一部を除く範囲で中央開口部１０５を囲むようにして一定高さのリブ１０６が形成されている。ただし、左枠部１０１には軸金具１１１〜１１３が設けられており、その軸金具１１１〜１１３によって面替えブロック５や払出ブロック６が支持されることから、左枠部１０１のリブ１０６に関しては剛性を高めるべく比較的肉厚に形成されている。
【００７７】
また、内枠１２の前面側において、上枠部１０３には、前記中央ランプ部２４の光源となるランプ類を実装したランプ基板１０７が取り付けられるとともに、その背面側に音声ランプ中継基板１０８が取り付けられている。
【００７８】
ここで、前扉体１１に内枠１２を組み付けた状態では、ランプ基板１０７は前扉体１１の中央ランプ部２４の後方に隠れるが、本実施の形態では特に、前扉体１１の上側一部分を分離させて取り外し可能とし、その後方のランプ基板１０７やその他上部スピーカ９２などのメンテナンス等を容易なものとしている。すなわち、図１２に示すように、前扉体１１の前面部は、中央ランプ部２４及びスピーカ部２６を含む範囲で分割されて構成されており、前扉体１１（ドアブロック４）に対して分離可能な部位が上部カバー体９４となっている。上部カバー体９４を固定する固定手段としては、前扉体１１及び内枠１２に複数のネジ付け部１０９が設けられており、内枠１２の後方よりネジ締結が行われるようになっている。実際には、上１カ所、左右２カ所ずつの計５カ所にネジ付け部１０９が設けられている。なお、図１２の符号１０７ａは、上部カバー体９４を固定するための差込孔である。この差込孔１０７ａをネジ締め付け孔として用いることも可能である。
【００７９】
上部カバー体９４において、中央ランプ部２４には有色の透明又は半透明パネルが組み込まれており、当該パネルを通じてランプ基板１０７による発光が遊技機前方にて確認できるようになっている。また、スピーカ部２６には多数のスリットが形成されており、このスリットを通じて上部スピーカ９２による音声が遊技機前方にて確認できるようになっている。
【００８０】
本構成によれば、上部カバー体９４を取り外すことにより、ランプ基板１０７や上部スピーカ９２を露出させることができる。この場合、ドアブロック４を開放状態としたままでなくても、ランプ基板１０７上のランプ類や上部スピーカ９２の修理や交換などを行うことができる。
【００８１】
前述したように本遊技機１は、正面から見て左側に回動軸線が設けられる構成となっており、上枠部１０３と下枠部１０４には前述のヒンジ金具８が上下２カ所に取り付けられている。このとき、前述した上部スピーカ９２はヒンジ金具８の前方に位置し、上部スピーカ９２は前寄りに設けられることとなる。かかる構成において、上部カバー体９４が前外し可能であるため、上部スピーカ９２のメンテナンスが容易となる。また、左右の上部スピーカ９２が各々隅部に設けられているため、その間のランプ基板１０７（中央ランプ部２４）が幅広に形成できるようになっている。更に、同じく左右の上部スピーカ９２が各々隅部に設けられているため、視認窓２１を拡大することができ、図柄等の表示領域を拡張することが可能となる。限られた領域内で各種の表示等を行う場合には、上記のような構成が有効であると考えられる。
【００８２】
左枠部１０１において、リブ１０６の先端部には上下３カ所に軸金具１１１，１１２，１１３が所定間隔を隔てて取り付けられている。これら軸金具１１１〜１１３は、面替えブロック５や払出ブロック６を回動可能に支持するための金具部材である。軸金具１１１〜１１３はいずれも略コ字状をなしており、軸金具１１１には上下に軸受け部１１１ａ，１１１ｂが形成され、軸金具１１２には上下に軸受け部１１２ａ，１１２ｂが形成され、軸金具１１３には上下に軸受け部１１３ａ，１１３ｂが形成されている。軸金具１１１〜１１３の各軸受け部１１１ａ，１１１ｂ，１１２ａ，１１２ｂ，１１３ａ，１１３ｂには軸孔が形成されており、軸金具１１１〜１１３は全ての軸孔が何れも同一の軸線上に配置されるようリブ１０６に固定されている。
【００８３】
かかる場合、軸金具１１１の下側の軸受け部１１１ｂと軸金具１１２の上側の軸受け部１１２ａとが面替えブロック５を支持するための面替えブロック支持手段に相当し、軸金具１１１の上側の軸受け部１１１ａと軸金具１１２の下側の軸受け部１１２ｂと軸金具１１３の下側の軸受け部１１３ｂとが払出ブロック６を支持するための払出ブロック支持手段に相当する。
【００８４】
また、右枠部１０２には、ドアブロック４及び払出ブロック６を開放不能な施錠状態で保持するための施錠装置１２０が設けられている。図１３は、施錠装置１２０の単体構成を示す斜視図であり、同図の（ａ），（ｂ）は相対向する２方向から見た斜視図を示している。
【００８５】
図１３において、施錠装置１２０は、金属板を折り曲げて成形された長尺状の基枠１２１を有しており、この基枠１２１が右枠部１０２の背面側に固定されることで、施錠装置１２０が内枠１２に取り付け固定されるようになっている。基枠１２１の一面側（内枠１２の外方となる側）には第１連動杆１２２が重なるようにして設けられるとともに、他面側（内枠１２の内方となる側）には第２連動杆１２３が同じく重なるようにして設けられている。第１連動杆１２２には上下２カ所にスリット部１２２ａが形成されており、そのスリット部１２２ａ内に、基枠１２１に設けたピン部材１２１ａを配することにより、該スリット部１２２ａの長さ分だけ第１連動杆１２２が上下方向に移動可能となっている。また、第２連動杆１２３には上下３カ所にスリット部１２３ａが形成されており（ただし図示の角度の関係上、１カ所のスリット部１２３ａのみを示す）、そのスリット部１２３ａ内に、基枠１２１に設けたピン部材１２１ｂを配することにより、該スリット部１２３ａの長さ分だけ第２連動杆１２３が上下方向に移動可能となっている。
【００８６】
基枠１２１において第１連動杆１２２側には、鉤形状をなす上下一対の鉤金具１２５，１２６が設けられている。鉤金具１２５，１２６はその中間部分が基枠１２１に軸支されており、第１連動杆１２２が上方に移動することでその先端鉤部が下方に移動する構成となっている。鉤金具１２５，１２６の基端部（先端鉤部と反対側の部位）には、一端が基枠１２１に結合されたコイルバネ１２７，１２８が取り付けられており、コイルバネ１２７，１２８の付勢力によって、鉤金具１２５，１２６の基端部が下方に引き下げられるとともにそれと同時に第１連動杆１２２が下方に引き下げられ、図示する初期状態で保持されるようになっている。
【００８７】
第１連動杆１２２には、下側の鉤金具１２６の上方に延出板部１２９が設けられている。この延出板部１２９は、鉤金具１２６の鉤凹部１２６ａの真上でこの鉤凹部１２６ａを塞ぐようにして設けられており、また外枠２に設けた鉤受け金具との位置関係で言えば該鉤受け金具の真上となる位置に延出板部１２９が設けられている。この場合、外枠２に対してドアブロック４が閉じた状態では、鉤金具１２６の鉤凹部１２６ａに外枠２側の鉤受け金具が入った状態となっており、延出板部１２９が外枠２側の鉤受け金具に当たることによって、第１連動杆１２２の下方向への移動が阻害されるようになっている。
【００８８】
第２連動杆１２３には、鉤形状をなす上下一対の鉤金具部１３３，１３４が形成されている。また、基枠１２１には、第２連動杆１２３側に張り出しかつ第２連動杆１２３の鉤金具部１３３，１３４に重なるようにして上下一対の張出突片部１３１，１３２が形成されている。基枠１２１と第２連動杆１２３との間にはコイルバネ１３５が設けられており、コイルバネ１３５の付勢力によって、第２連動杆１２３が上方に引き上げられ、図示する初期状態で保持されるようになっている。
【００８９】
かかる場合、図示する初期状態では、鉤金具部１３３，１３４の鉤凹部１３３ａ，１３４ａの底側縁部が張出突片部１３１，１３２の上側縁部とほぼ同じ高さとなっており、鉤金具部１３３，１３４の先端鉤部のみが張出突片部１３１，１３２の上側縁部よりも上方に突き出た状態となっている。したがって、仮に、鉤金具部１３３，１３４による相手側部材（具体的には払出ブロック６）との結合を不正に解除する目的で、鉤凹部１３３ａ，１３４ａにひもや針金などを引っ掛けて鉤金具部１３３，１３４を引き下げようとしても、張出突片部１３１，１３２によって、その引き下げが不可能となる。これにより、後述する払出ブロック６の不正開放が抑止されるようになっている。
【００９０】
下側の張出突片部１３２には、下側の鉤金具部１３４の上方に延出板部１３２ａが設けられている。この延出板部１３２ａは、鉤金具部１３４の鉤凹部１３４ａの真上でこの鉤凹部１３４ａを塞ぐようにして設けられており、この延出板部１３２ａによって、鉤凹部１３４ａ内に鉤受け部材（具体的には払出ブロック６側の鉤受け部）が拘束された状態においてその鉤受け部材が容易に外れないようになっている。
【００９１】
基枠１２１には、解錠操作部たるキーシリンダ１３７が設けられている。このキーシリンダ１３７は前後方向に延びる向きで設けられており、前扉体１１に内枠１２を組み付けた際にはシリンダ前面（キー挿入孔の設置側）が前扉体１１に設けたキーシリンダ設置穴６２から露出することとなる。なお、キーシリンダ１３７として、不正解錠防止機能の高いオムロック（登録商標）を用いる構成としても良い。
【００９２】
次に、操作キーの回動操作に伴う施錠装置１２０の動作について図１４及び図１５を用いて説明する。図１４は、操作キーの回動操作により第１連動杆１２２を上動させ、それに伴い鉤金具１２５，１２６を係止解除状態とする状態を示している。また、図１５は、同じく操作キーの回動操作により第２連動杆１２３を下動させ、それに伴い鉤金具部１３３，１３４を係止解除状態とする状態を示している。
【００９３】
図１４では、操作キー（図示略）をキーシリンダ１３７に差し込んで時計回り方向に回動操作している。すると、キーシリンダ１３７の回動操作に連動する下側の爪片１３７ａにより、コイルバネ１２７，１２８の付勢力に抗して第１連動杆１２２が上方に移動し、それに伴い鉤金具１２５，１２６の先端鉤部が下方に移動する。かかる場合、本遊技機１においては、外枠２に対してドアブロック４が閉じている状態で、鉤金具１２５，１２６と外枠２側の鉤受け金具との係止状態（すなわち施錠状態）が解除され、これにより、外枠２に対してドアブロック４が開放可能となる。その後、操作キーの回動操作を解除すると、コイルバネ１２７，１２８の付勢力により第１連動杆１２２や鉤金具１２５，１２６が初期状態に復帰する。
【００９４】
一方、図１５では、操作キー（図示略）をキーシリンダ１３７に差し込んで反時計回り方向に回動操作している。すると、キーシリンダ１３７の回動操作に連動する上側の爪片１３７ｂにより、コイルバネ１３５の付勢力に抗して第１連動杆１２２及び第２連動杆１２３が下方に移動し、それに伴い鉤金具部１３３，１３４が下方に移動する。かかる場合、本遊技機１においては、ドアブロック４に対して払出ブロック６が閉じている状態で、鉤金具部１３３，１３４と払出ブロック６側の鉤受け部との係止状態（すなわち施錠状態）が解除される。そして、ドアブロック４に対して払出ブロック６が開放可能となる。その後、操作キーの回動操作を解除すると、コイルバネ１３５の付勢力により第２連動杆１２３が初期状態に復帰する。
【００９５】
なお、外枠２に対してドアブロック４が閉じた状態では、鉤金具１２６の鉤凹部１２６ａに外枠２側の鉤受け金具が入った状態となっており、外枠２側の鉤受け金具によって、第１連動杆１２２の下方向の移動が阻害される。これにより、鉤金具部１３３，１３４と払出ブロック６側の鉤受け部との係止状態（すなわち施錠状態）が解除できないようになっている。
【００９６】
図１１に示すように、下枠部１０４には、取込ユニット１６を収容するための取込ユニット収容部１４１が形成されている。詳細には、取込ユニット収容部１４１は下枠部１０４の一端側に形成されており、その上方には上皿ユニット１５の一端が位置している（図７参照）。取込ユニット収容部１４１は、取込ユニット１６を載置した状態で、その奥側（遊技機１で言えば前側）及び左右両側を囲むようにして保持するユニット保持部である。取込ユニット収容部１４１の底部には、取込ユニット１６にて取り込まれた遊技球を排出するための球排出室１４２が形成されており、球排出室１４２に回収された遊技球は図示しない排出通路を介して遊技機外部（遊技ホールの島設備など）に排出されようになっている。また、取込ユニット収容部１４１の左方（背面側から見て左方）には、取込ユニット１６に一旦は導かれそれ後下皿７１に排出される遊技球（すなわち、遊技者に返還される遊技球）を通過させるための排出通路１４３が形成されており、この排出通路１４３に流れ込む遊技球は、内枠１２の前面側に開口する開口部１４４及び前扉体１１の下皿排出口７４を経由して下皿７１に排出されるようになっている。また、取込ユニット収容部１４１の右方（背面側から見て右方）には、下皿７１に通じる下皿連通路１４５が形成されており、この下皿連通路１４５に流れ込む遊技球は、前記排出通路１４３に流れ込む遊技球と同様、内枠１２の開口部１４４及び前扉体１１の下皿排出口７４を経由して下皿７１に排出されるようになっている。
【００９７】
下枠部１０４にはスピーカ１４６が設けられている。スピーカ１４６は、前記前扉体１１のスピーカ穴７５から前方に露出し、これにより音声が前方に発せられる。
【００９８】
内枠１２の背面側において、その右上隅部とスピーカ１４６の側方部には、ドアブロック４の背面側に取り付けられる払出ブロック６を固定するための固定手段として鉤金具１４７，１４８が設けられている。
【００９９】
（上皿ユニット１５の説明）
次に、上皿ユニット１５について説明する。図１６は上皿ユニット１５の斜視図、図１７は上皿ユニット１５の平面図（（ａ）は上方から見た平面図、（ｂ）は下方から見た平面図）、図１８は上皿ユニット１５の分解斜視図である。
【０１００】
上皿ユニット１５は、遊技に際し順次取り込まれる遊技球を一時的に貯留する機能を有する上皿１５１を有しており、その上皿１５１の上面側には、球出口部付近を覆うカバー部材１５２が取り付けられ、さらに該上皿１５１の一部を覆うようにして横長薄板状の上覆い板１５７が取り付けられている。また、上皿１５１の下面側には貸球操作装置１５３と排出操作伝達装置１５４と球留め装置１５５とが取り付けられている。
【０１０１】
図１７の（ａ）に示すように、上皿ユニット１５の上面側では、上皿１５１の半分近くの領域が上覆い板１５７にて覆われ、さらにこの上覆い板１５７によってカバー部材１５２の約半分が覆われている。また、図１７の（ｂ）に示すように、上皿ユニット１５の下面側では、貸球操作装置１５３と排出操作伝達装置１５４とが上下に重なるようにして配設されるとともに、これら貸球操作装置１５３及び排出操作伝達装置１５４の後方側（図では下側）に球留め装置１５５が配設されている。
【０１０２】
（上皿１５１の説明）
次に、上皿１５１の構成について説明する。図１９は上皿１５１の斜視図であり、図２０は上皿１５１の平面図である。また、図２１は、上皿１５１に貸球操作装置１５３を設置するとともにカバー部材１５２を分離した状態を示す斜視図である。
【０１０３】
上皿１５１は、島設備の球貸し装置から貸し出された遊技球や、払出装置より払い出された遊技球を一旦貯留するための受け皿部材を構成するものであり、底板部１６１とその周縁部を囲む周壁部１６２とにより横長の樋状に成形されている。これら底板部１６１と周壁部１６２とにより囲まれて遊技球貯留領域が形成されている。周壁部１６２のうち奥側壁部１６２ａは透明パネル１３よりも奥側に位置しており、奥側壁部１６２ａには正面から見て左側の位置に排出口１６３が設けられている。また、底板部１６１には、正面から見て右側の位置に開口部１６４が設けられている。本上皿１５１では、底板部１６１の傾斜方向が大別して手前側領域Ｒ１と奥側領域Ｒ２とで異なっており、手前側領域Ｒ１は概して奥側領域Ｒ２に向けて低位となるよう傾斜し、奥側領域Ｒ２は概して排出口１６３から開口部１６４に向けて低位となるよう傾斜している。従って、排出口１６３から遊技球が排出されると、その遊技球は最終的に開口部１６４に向けて流れる。
【０１０４】
周壁部１６２のうち手前側の壁部には、奥側に凹んだ形状をなす凹部１６５が形成されており、その凹部１６５により、本上皿ユニット１５を前扉体１１に組み付けた際においてベットスイッチ取付板部３２と上皿１５１との干渉が回避されるようになっている。
【０１０５】
上皿１５１の奥側領域Ｒ２であってその最下流部には、底板部１６１より隆起した２つの仕切部１６７，１６８が設けられており、この仕切部１６７，１６８に仕切られることで三列の案内通路１７１，１７２，１７３が形成されている。これら各案内通路１７１〜１７３は、前記開口部１６４に通ずるように設けられており、遊技球を各一列に整列するための整列通路部を構成する。また、各案内通路１７１〜１７３は、それぞれ５個分以上の遊技球が整列可能な通路長を有している。なお、開口部１６４の下方には取込ユニット１６が位置しており、各案内通路１７１〜１７３を通過した遊技球は取込ユニット１６に導入される。これについては後に説明する。
【０１０６】
三列の案内通路１７１〜１７３の手前側には、貸球操作装置１５３等を設置するための貸球操作装置設置部１７５が設けられている。貸球操作装置設置部１７５には、左右２つの円形凹部１７６，１７７と矩形状の窓部１７８とが形成されている。
【０１０７】
図１８に示すように、貸球操作装置１５３は、操作装置基板１８１と、その操作装置基板１８１を設置するための台板１８２とを備えており、台板１８２上に操作装置基板１８１を設置することにより、貸球操作装置１５３が構成されている。
【０１０８】
ここで、貸球操作装置１５３は、例えば本遊技機１の側方（例えば左方）に配置された縦長のカードユニット（球貸しユニット）に紙幣やカード等を投入した状態で、球貸し操作、カード等の返却操作及び有効度数の確認を行うものであり、操作装置基板１８１上には、球貸しボタン１８３と返却ボタン１８４と度数表示部１８５とが一体的に並設されている。この場合、球貸しボタン１８３は、カード（記録媒体）等に記録された情報に基づいて貸出球を得るために操作されるものであり、カード等に残額が存在する限りにおいて貸出球が払い出される。返却ボタン１８４は、カードユニットに挿入されたカード等の返却を求める際に操作される。度数表示部１８５にはカードの残額情報や投入金額などが表示される。
【０１０９】
貸球操作装置設置部１７５に貸球操作装置１５３を設置した状態では、図２１に示すように、貸球操作装置設置部１７５の窓部１７８から度数表示部１８５が視認できるようになる。図２１では、貸球操作装置設置部１７５の円形凹部１７６，１７７に各々半球状をなす押しボタン部材１８６，１８７を取り付けた状態を示しており、押しボタン部材１８６，１８７が押し操作されることにより間接的に球貸しボタン１８３や返却ボタン１８４が押され、それに伴い遊技球の貸し出しやカード等の返却などが適宜実施されるようになっている。
【０１１０】
図１８に示すように、カバー部材１５２は、カバー本体１８８と、該カバー本体１８８の下面側に重ねて組み付けられる下カバー体１８９とにより構成されている。これらカバー本体１８８及び下カバー体１８９はいずれもアクリル樹脂やポリカーボネート樹脂等の透明性を有する合成樹脂材料にて成形されている。カバー本体１８８及び下カバー体１８９にはそれぞれ円形の孔部１８８ａ，１８９ａが形成されており、これら両部材を重ね合わせた状態でカバー部材１５２を上皿１５１に装着すると、各孔部１８８ａ，１８９ａを介して押しボタン部材１８６，１８７が露出する。これにより、押しボタン部材１８６，１８７の押し操作が可能となっている。また、カバー本体１８８及び下カバー体１８９は各々透明体にて構成されているため、度数表示部１８５上にカバー部材１５２が被せられてもその度数表示等が視認可能となっている。なお、符号１９０は、カバー部材１５２を上皿１５１に固定するための固定フック部である。
【０１１１】
カバー部材１５２は、開口部１６４と各案内通路１７１〜１７３の一部と貸球操作装置設置部１７５とを上方から覆うようにして上皿１５１に取り付けられ、その際、カバー部材１５２は、各案内通路１７１〜１７３の高さ方向の寸法を概ね遊技球１個分に規制するための通路高さ規制部材としても機能する。すなわち、カバー部材１５２を上皿１５１に取り付けることにより、各案内通路１７１〜１７３において遊技球が１つずつ取り込まれるようになる。このとき、カバー部材１５２が透明体にて構成されているため、その下方の遊技球（各案内通路１７１〜１７３を通過する遊技球）が視認可能となっている。
【０１１２】
上述したように上皿１５１の奥側壁部１６２ａは、透明パネル１３よりも奥側に位置している。詳細には、遊技機１の側面図である図２２に示すように、上皿１５１の奥側領域Ｒ２の全体が透明パネル１３よりも奥側に位置するように上皿１５１が配置されている。これにより、上皿１５１の出口通路を構成する各案内通路１７１〜１７３が奥まった位置に配置され、各案内通路１７１〜１７３を介して取込ユニット１６に不正用冶具を挿入しようとする不正行為を行いづらくすることができる。この場合に、透明パネル１３と上皿１５１との間には透明パネル１３よりも後退させて横長窓部５０が設けられている。そして、この後退した位置は、当該遊技機１において遊技を行う一般的な遊技者の視点ＰＶ１，ＰＶ２，ＰＶ３と、奥側の案内通路１７３とを結んだ仮想ライン（図２２の一点鎖線）よりも奥側となっている。これにより、透明パネル１３の前方にある遊技者の視点からであっても、奥まった位置にある各案内通路１７１〜１７３等の上皿１５１の奥側領域Ｒ２が視認可能となっている。また、透明パネル１３よりも後退させて横長窓部５０を設けた構成において、横長窓部５０は各案内通路１７１〜１７３よりも手前側に位置している。すなわち、各案内通路１７１〜１７３は奥まった位置にあり、上記不正行為の抑止効果は消失されない。
【０１１３】
上皿１５１には、上述したように上覆い板１５７が取り付けられている。上覆い板１５７は、アクリル樹脂やポリカーボネート樹脂等の透明性を有する合成樹脂材料にて成形されている。上覆い板１５７により、上皿１５１の奥側領域Ｒ２を含めた部位に上蓋が設けられるようになる（図１６等参照）。この上覆い板１５７による上皿１５１の被蓋部分は、上皿ユニット１５をドアブロック４に装着した状態で上皿１５１がドアブロック４の内部に隠れる部位に相当している。つまり、上皿ユニット１５をドアブロック４に装着した状態では、ドアブロック４（前扉体１１）に設けられた開口部４１の前後方向の幅寸法（Ａ）と上皿１５１の前後方向の幅寸法（Ｂ）とがＡ＜Ｂであるため（Ａ，Ｂは左右方向の同一箇所での寸法比較）、上皿１５１の奥側一部がドアブロック４の内側に没入することとなる。そして、上覆い板１５７は、横長窓部５０とその裏面側にて当接し上皿１５１と遊技機内部の空間（ドアブロック４の内側領域）との間を遮蔽している。仮に、上皿１５１においてドアブロック４内側に没入した部位が上方に開放されたままであると、上皿１５１の手前側から奥側に入れた指や不正用冶具等が上皿奥側の上方開放部分を通じて遊技機内部に差し入れられ、その遊技機内部において不正行為などが行われるといった不都合が懸念される。これに対して、上記のとおり上覆い板１５７が設けられていることにより、指や不正用冶具等を上皿１５１を通じて遊技機内部に差し入れることによる不正行為が抑制できる。
【０１１４】
（排出操作伝達装置１５４の説明）
次に、排出操作伝達装置１５４について説明する。この排出操作伝達装置１５４は、後述する取込ユニット１６の排出ゲート部材３４０を操作して上皿１５１内の貯留球を下皿７１に排出するための球抜き操作装置であり、その詳細な構成を図２３及び図２４に示す。
【０１１５】
図２３及び図２４に示すように、排出操作伝達装置１５４において、ケース体１９１には２つの軸部１９２，１９３が設けられており、その軸部１９２，１９３にはそれぞれ第１リンク片１９４と第２リンク片１９５とが回動可能に支持されている。これら第１，第２リンク片１９４，１９５は各々の一部分が互いに連結されており、第１リンク片１９４に連動して第２リンク片１９５が回動する。第１リンク片１９４には引張バネ１９６が設けられており、第１リンク片１９４は引張バネ１９６のバネ力により常に同方向（図では反時計回り方向）に付勢されている。また、ケース体１９１の手前側端面には、左右方向に移動可能な操作レバー１９８が設けられており、この操作レバー１９８に一体に設けられた支柱部１９８ａが第１リンク片１９４に設けられた孔部１９４ａに挿通されている。故に、操作レバー１９８のスライド操作に伴い第１リンク片１９４が軸部１９２を中心に回動する。
【０１１６】
上記構成の排出操作伝達装置１５４では、遊技者等により操作レバー１９８が図示の位置から左方（図２４のＰ１方向）にスライド操作されることにより、第１リンク片１９４が引張バネ１９６のバネ力に抗して図の時計回り方向（図２４のＰ２方向）に回動するとともに、第２リンク片１９５が反時計回り方向に回動（図２４のＰ３方向）する。これにより、第２リンク片１９５の回動先端部が後方側（図２４のＰ４方向）へと移動する。また、操作レバー１９８の操作が解除されると、引張バネ１９６のバネ力により第１リンク片１９４が図の反時計回り方向に回動するとともに、第２リンク片１９５が時計回り方向に回動する。これにより、排出操作伝達装置１５４が元の状態に復帰する。こうした排出操作伝達装置１５４の動作により、後述する取込ユニット１６の排出ゲート部材３４０が操作され、取込ユニット１６を介しての遊技球の排出（実際には遊技球の下皿７１への排出）が行われるようになっている。
【０１１７】
（球留め装置１５５の説明）
次に、球留め装置１５５について説明する。この球留め装置１５５は、上皿１５１の下方に設置される取込ユニット１６が取り外された際において上皿１５１から遊技球がこぼれ落ちるのを防止するための遊技球落下防止装置であり、その詳細な構成を以下に説明する。図２５は球留め装置１５５の分解斜視図、図２６は球留め装置１５５の単体構成を示す平面図、図２７は取込ユニット１６を上皿１５１下方に装着した状態及び分離させた状態を後方側から示す背面図である。なお、球留め装置１５５の動作状態として、図２６の（ａ）と図２７の（ａ）とが対応し、図２６の（ｂ）と図２７の（ｂ）とが対応している。
【０１１８】
球留め装置１５５は、上皿１５１の下面に固定される本体部２１１と、該本体部２１１上に載置され図２６の上下方向に往復動可能な可動部２１２と、可動部２１２を同上下方向に往復動させるべく回動操作される操作レバー２１３とを有している。そして、この球留め装置１５５は、操作レバー２１３が遊技機後方になるようにして上皿１５１に組み付けられている。
【０１１９】
可動部２１２には、同一方向に並ぶようにして３つのアーム部２１４，２１５，２１６が形成されている。各アーム部２１４〜２１６はそれぞれ二股に分岐されており、その先端には上方（図２６では紙面手前側）に折れ曲がるようにして起立する各２個ずつの起立部２１７，２１８，２１９が形成されている。可動部２１２に形成された各アーム部２１４〜２１６の間隔は、前記上皿１５１に形成した３つの案内通路１７１〜１７３に合致しており、各アーム部２１４〜２１６の起立部２１７〜２１９は、上皿１５１の各案内通路１７１〜１７３に通じる開口部１６４から現出するようになっている。また、可動部２１２の下面側には、操作レバー２１３と同方向に延びる溝部２２０が形成されている。
【０１２０】
操作レバー２１３は、その軸部２２１が本体部２１１に支持されており、概ね９０度の角度範囲内で回動操作可能となっている。軸部２２１には、その軸心から９０度の角度で放射状に延びる突起片２２２ａ，２２２ｂが形成されており、その突起片２２２ａ，２２２ｂが可動部２１２に形成された溝部２２０内に収容されている。溝部２２０の左右方向の幅は、ほぼ軸部２２１の直径と突起片２２２ａ又は２２２ｂの長さとを合わせた寸法となっている。この場合、図２６の（ａ），図２７の（ａ）の状態では一方の突起片２２２ａの先端が溝部２２０の内壁に当たり、操作レバー２１３の回動操作によって図２６の（ｂ），図２７の（ｂ）の状態に移行すると、他方の突起片２２２ｂの先端が溝部２２０の内壁に当たることとなる（便宜上、図２６，図２７では突起片２２２ａ，２２２ｂに点ハッチを付している）。これにより、可動部２１２が左右方向に移動する。図２６で言えば、可動部２１２の左右方向の移動によって、可動部２１２の各アーム部２１４〜２１６の先端突出量が（ａ），（ｂ）で異なるものとなっている。（ａ）では先端突出量＝Ｌ１であるのに対し、（ｂ）では先端突出量＝Ｌ２となっている（Ｌ１＜Ｌ２）。
【０１２１】
操作レバー２１３には、取込ユニット１６がドアブロック４（詳細には内枠１２）に装着された状態で保持するためのホールド板片２２４が設けられている。このホールド板片２２４は、軸部２２１の軸心から延びる舌形状をなすものであり、操作レバー２１３が回動操作されることにより、ホールド板片２２４が図２７の（ａ），（ｂ）に示す各位置に操作されるようになっている。
【０１２２】
ここで、操作レバー２１３の操作位置と取込ユニット１６との相互の関係を説明する。操作レバー２１３が図２７の（ａ）に示す状態にある場合、操作レバー２１３に一体的に設けられたホールド板片２２４の回動先端部が取込ユニット１６の背面に当たっている。これが取込ユニット保持位置（ロック位置）である。この状態では、取込ユニット１６がドアブロック４（詳細には内枠１２）に装着された状態で保持され、取込ユニット１６の取り外しができないようになっている。これに対し、操作レバー２１３が図２７の（ｂ）に示す状態に移行すると、ホールド板片２２４の回動先端部が取込ユニット１６の背面に当たる状態が解除される。これが取込ユニット取り外し位置（アンロック位置）である。これにより、取込ユニット１６の取り外しが可能となっている（図２７の（ｂ）には取込ユニット１６を取り外した状態を図示している）。
【０１２３】
図２８には、球留め装置１５５の操作状態と遊技球の流れとの関係を示す。図２８において、（ａ）は通常の遊技状態を示しており、当該状態は前記図２６の（ａ）や前記図２７の（ａ）の状態に対応している。また、（ｂ），（ｃ）は取込ユニット１６の取り外し可能状態及び取り外し後状態を示しており、当該状態は前記図２６の（ｂ）や前記図２７の（ｂ）の状態に対応している。
【０１２４】
図２８の（ａ）の状態では、前記図２６の（ａ）に示したとおり可動部２１２の各アーム部２１４〜２１６の先端突出量が比較的少なく、それ故に上皿１５１の案内通路１７１〜１７３から供給される遊技球の流れが阻止されることはない。したがって、遊技球が次々と取込ユニット１６側に送り込まれる。
【０１２５】
これに対し、図２８の（ｂ）の状態では、前記図２６の（ｂ）に示したとおり可動部２１２の各アーム部２１４〜２１６の先端突出量が比較的大きく、それ故に上皿１５１の案内通路１７１〜１７３から供給される遊技球の流れが各アーム部２１４〜２１６の先端部（起立部２１７〜２１９）で阻止される。この状態では、遊技球が取込ユニット１６側に送り込まれることがないため、（ｃ）に示すように、取込ユニット１６を取り外したとしても、上皿１５１内の遊技球が落下することが防止される。
【０１２６】
（取込ユニット１６の説明）
取込ユニット１６は、遊技者による操作に基づき遊技球を所定個数ずつ取り込むための取込手段を構成するものであり、該取込ユニット１６による所定個数分の遊技球の取込により毎回の遊技（ゲーム）の開始条件が成立し、遊技開始の準備が整えられるようになっている。
【０１２７】
図２９は取込ユニット１６を手前側から見た斜視図、図３０は同取込ユニット１６を後方側から見た斜視図、図３１は同取込ユニット１６の分解斜視図である。取込ユニット１６には３個の取込装置３０１，３０２，３０３が重なるようにして設けられており、取込ユニット１６は全体として略立方体形状となっている。以下の説明では、図２９において手前側に位置する取込装置３０１を「第１取込装置」、中央に位置する取込装置３０２を「第２取込装置」、奥側に位置する取込装置３０３を「第３取込装置」とも言うこととする。
【０１２８】
各取込装置３０１〜３０３の上面には、入口通路３０５，３０６，３０７が形成されており、これら入口通路３０５〜３０７が取込ユニット１６における遊技球入口部を構成する。取込ユニット１６は、各入口通路３０５〜３０７が上皿１５１に設けられた各案内通路１７１〜１７３と直接連通するように配置されている。従って、上皿１５１から供給される遊技球は入口通路３０５〜３０７に直接案内される。そして、その後一列に並んだ状態で順次取り込まれる。各取込装置３０１〜３０３の側面にはこれらを結合させるための結合ケース部材３０８が取り付けられている。結合ケース部材３０８内には、本取込ユニット１６における電気配線等を一括して集め、主制御装置等に対して電気的に接続可能とする取込ユニット中継基板３０９が収容されている。
【０１２９】
（取込装置３０１〜３０３の説明）
次に、各取込装置３０１〜３０３の構成を説明する。ただし、各取込装置３０１〜３０３は、概ね同様の構成をしているため、ここでは基本的に第３取込装置３０３を例に挙げて説明する。図３２は、取込装置３０３の内部構造を示す断面図、図３３は、取込装置３０３を分解して示す斜視図である。なお、以下の説明では便宜上、図３２に示す状態で上下左右の各方向を記載する。
【０１３０】
取込装置３０３は、合成樹脂成型品よりなる表裏一対のハウジング部材３１１，３１２を備えている。これら両ハウジング３１１，３１２がネジ等により結合されることにより略四角箱状の筐体が形成され、その内部空間に、後述する遊技球通路が形成されるとともに該通路を開閉するための開閉ゲート機構などが収容されるようになっている。各ハウジング３１１，３１２は、カーボン入りの黒色の樹脂材料により成型されている。以下説明の便宜上、ハウジング部材３１１を「第１ハウジング」、ハウジング部材３１２を「第２ハウジング」ともいう。
【０１３１】
第１ハウジング３１１及び第２ハウジング３１２の上面部には、それぞれ遊技球１個分よりも若干低い通路壁３１３，３１４が形成されており、両ハウジング３１１，３１２を結合させることで、相対向する通路壁３１３，３１４の間に前記入口通路３０７が形成されている。すなわち、入口通路３０７は、上壁が除去されている。かかる構成であることにより、入口通路３０７は、上方に開放されてハウジング外部に露出した状態となっている。
【０１３２】
ここで、取込ユニット１６は、図３４に示すように、入口通路３０５〜３０７が上皿１５１に形成された開口部１６４からなる開放領域の下方に配置されている。そして、上述したとおり、開口部１６４はカバー部材１５２により覆われている。従って、各入口通路３０５〜３０７の上面開放側は、図２８（ａ）等に示すように、カバー部材１５２により覆われている。この場合に、図２８（ａ）に示すように、入口通路３０５〜３０７の底面とカバー部材１５２との間の間隔が概ね遊技球１個分となる。これにより、各入口通路３０５〜３０７の高さ方向の寸法が概ね遊技球１個分に規制され、各入口通路３０５〜３０７において遊技球が１つずつ流下するようになっている。また、上述したとおり、カバー部材１５２は透明性を有し、さらに図２２に示したように、開口部１６４を含めた上皿１５１の奥側領域Ｒ２が視認可能なように横長窓部５０も後退させて設けられていることにより、入口通路３０５〜３０７内が視認可能となっている。入口通路３０５の底面は図３２の左側に向けて僅かに下り傾斜している。
【０１３３】
取込装置３０３には、前記入口通路３０７の下流側において、第１ハウジング３１１と第２ハウジング３１２とにより囲まれるようにして取込通路３１５と排出通路３１６とが設けられている。これら取込通路３１５及び排出通路３１６は、入口通路３０７と同様に、遊技球を一列で通過させるに足りる通路幅を有する。取込通路３１５は、入口通路３０７に連続して設けられ、その途中にて鉛直方向に折れ曲がるようにして形成されている。遊技者により所定の遊技開始操作が行われた際、毎回の遊技の開始条件とされる所定個数の遊技球がこの取込通路３１５を通じて取り込まれる。また、排出通路３１６は、取込通路３１５の折れ曲がり部分（コーナー部分）から当該取込通路３１５より分岐して設けられている。遊技終了に伴う精算時などにおいては、本取込装置３０３や上皿１５１に残留している遊技球がこの排出通路３１６を通じて遊技者に返還される（すなわち、上皿１５１等の球抜きが行われる）。
【０１３４】
なお、第１ハウジング３１１と第２ハウジング３１２は、厚さ方向の寸法が異なるものとなっており、入口通路３０７、取込通路３１５及び排出通路３１６は、大部分が第１ハウジング３１１側に形成されるようになっている。これにより、遊技球が実際に接触する経路は、両ハウジング３１１，３１２の境界部分（接合部分）から外れた部位となり、境界部分に溜まったゴミやほこり等により遊技球の流れが阻害されるといった不都合が回避されるようになっている。
【０１３５】
また、第１，第２ハウジング３１１，３１２には、入口通路３０７及び取込通路３１５に沿って一筋の突条部３１７が設けられている。この突条部３１７は、入口通路３０７及び取込通路３１５を通過する遊技球の外周面に接触するようにして通路の中央部（入口通路３０７にあっては上下幅方向の中央部、取込通路３１５にあっては左右幅方向の中央部）に設けられている。突条部３１７の高さ（通路内部への突出寸法）は０．５ｍｍ程度であり、これにより入口通路３０７及び取込通路３１５の通路幅が狭められるようになっている。つまり、入口通路３０７及び取込通路３１５は基本的に通路幅が１２ｍｍ程度であるが、突条部３１７を設けることにより、実質的な通路幅が１１．５ｍｍ程度に狭められている。これにより、入口通路３０７及び取込通路３１５の内壁と遊技球との隙間間隔（遊び）を減らすことができ、安定した状態で遊技球が流下することとなる。特に、取込通路３１５においては、後述する遊技球検出が行われるため、その検出ミスを低減させることができる。ただし、突条部３１７は、第１，第２ハウジング３１１，３１２のいずれか一方にのみ設けられる構成であっても良い。前記整流部における突条部３１７の設置は任意である。
【０１３６】
ハウジング内部空間において取込通路３１５の側方には、当該取込通路３１５の鉛直方向部分に沿うようにして取込ゲート部材３２０が設けられている。取込ゲート部材３２０は、支軸３２１により回動可能に支持されており、その支軸３２１を支点とする回動により、該取込ゲート部材３２０の先端部に設けた爪部３２０ａが取込通路３１５に対して出没する。このとき、取込通路３１５の通路壁には通路切欠部３２２が形成されており、その通路切欠部３２２を介して取込ゲート部材３２０の爪部３２０ａが出没する。取込通路３１５に対して取込ゲート部材３２０の爪部３２０ａが突出した状態である場合、取込通路３１５を介しての遊技球の通過が阻止される。また、取込通路３１５に対して取込ゲート部材３２０の爪部３２０ａが没入した状態である場合、取込通路３１５を介しての遊技球の通過が許容される。
【０１３７】
かかる場合、取込ゲート部材３２０の爪部３２０ａの出没位置が取込通路３１５におけるコーナー部分の直ぐ下流位置であるため、換言すれば通路切欠部３２２が取込通路３１５におけるコーナー部分の直ぐ下流位置に形成されているため、取込ゲート部材３２０の爪部３２０ａが通路内に突出した状態（通過阻止状態）において、取込通路３１５のコーナー部まで流れてきた遊技球が該取込通路３１５の鉛直部分に流れ込むことがない構成となっている。
【０１３８】
ハウジング内部空間には、取込ゲート部材３２０の駆動源としてソレノイド３２５が配設されている。ソレノイド３２５は、通電により伸縮方向に移動する出力軸３２５ａを有しており、当該ソレノイド３２５は、取込ゲート部材３２０の右方において出力軸３２５ａが下方へと突き出るように配設されている。また、ソレノイド３２５の出力軸３２５ａには、当該出力軸３２５ａを伸長状態で保持するためのコイルバネ３２６が設けられている。ソレノイド３２５は、ソレノイドカバー３２７によって第１ハウジング３１１に固定されている。
【０１３９】
ソレノイド出力軸３２５ａの先端部にはガイド３３１が取り付けられている。ガイド３３１には回動片３３２の一部が係合されており、同回動片３３２の他部が取込ゲート部材３２０の後端部に駆動連結されている。符号３３３は、回動片３３２のほぼ中央部に設けられ該回動片３３２を回動可能に支持する支軸である。
【０１４０】
本構成によれば、ソレノイド３２５への通電がない場合には、図示の如くコイルバネ３２６の付勢力によって出力軸３２５ａが伸長した状態で保持され、取込ゲート部材３２０の爪部３２０ａが取込通路３１５内に突出した状態とされる。これにより、取込通路３１５が閉鎖される。一方、ソレノイド３２５が通電されると、コイルバネ３２６の付勢力に抗して出力軸３２５ａが縮み方向に移動する。よって、ガイド３３１及び回動片３３２を介して取込ゲート部材３２０が回動し（図３２では時計回り方向に回動し）、取込ゲート部材３２０の爪部３２０ａが取込通路３１５外に引っ込んだ状態とされる。これにより、取込通路３１５が開放される。また、ソレノイド３２５への通電を中止すると、コイルバネ３２６の付勢力によって出力軸３２５ａが伸長状態となり、取込ゲート部材３２０の爪部３２０ａが取込通路３１５内に突出した状態に戻る。
【０１４１】
一方、第１，第２ハウジング３１１，３１２において排出通路３１６の入口位置には、それぞれ貫通孔３３７，３３８が設けられており、その貫通孔３３７，３３８を前後方向に貫通するようにして排出ゲート部材３４０が設けられている。排出ゲート部材３４０は、取込装置３０１〜３０３に個別に設けられるのではなく、全取込装置３０１〜３０３に共通に設けられるものとなっており、該排出ゲート部材３４０の作動状態によって、各取込装置３０１〜３０３において同時に遊技球の排出（球抜き）が許容又は阻止されるようになっている。
【０１４２】
ここで、排出ゲート部材３４０の詳細を図３５に基づいて説明する。排出ゲート部材３４０は、全体として略長方形状をなしており、３カ所に略正方形状の開口部３４１，３４２，３４３が形成されている。これら開口部３４１〜３４３は各取込装置３０１〜３０３に設けられた排出通路３１６にそれぞれ対応するものであり、一定間隔を隔ててそれぞれ設けられている。なお、開口部３４１〜３４３は排出通路３１６の一部を構成する。この場合、排出ゲート部材３４０がその長手方向（取込ユニット１５３の前後方向）に移動することにより、排出通路３１６が閉鎖又は開放の状態とされる。すなわち、排出ゲート部材３４０が初期位置にある場合、排出ゲート部材３４０の壁板部により各取込装置３０１〜３０３の排出通路３１６が閉鎖され、当該通路３１６を通じての遊技球の排出が阻止される。また、排出ゲート部材３４０がその長手方向に移動すると、排出ゲート部材３４０の開口部３４１〜３４３により各取込装置３０１〜３０３の排出通路３１６が一斉に開放され、当該通路３１６を通じての遊技球の排出が許容される。
【０１４３】
開口部３４１〜３４３の下方には、それぞれ球案内突部３４４，３４５，３４６が形成されている。この球案内突部３４４〜３４６の上面は、各開口部３４１〜３４３の底部上面に連続して同一角度で設けられており、その角度は排出通路３１６の入口部の傾斜角度に合致している。これにより、遊技球が開口部３４１〜３４３を介して排出通路３１６に流入する際には、球案内突部３４４〜３４６上を転がりながら遊技球が通過し、排出通路３１６への遊技球の流入がスムーズに行われることとなる。
【０１４４】
排出ゲート部材３４０の一方の端部にはバネ受け部３４７が形成され、他方の端部にはロッド部３４８が形成されている。かかる場合、図３１等に示すように、第３取込装置３０３の外側にカバー部材３５１が設けられ、そのカバー部材３５１と排出ゲート部材３４０のバネ受け部３４７との間にコイルバネ３５２が組み込まれる。なお、符号３５３はコイルバネ３５２を収容するためのバネ収容部である。
【０１４５】
排出ゲート部材３４０は、コイルバネ３５２の付勢力によって一方向に常に付勢される。このとき、排出ゲート部材３４０は、コイルバネ３５２の付勢力により初期位置（排出通路３１６を閉鎖する位置）に保持され、ロッド部３４８から力が加わると、コイルバネ３５２の付勢力に抗して排出通路３１６の開放位置に移行する。
【０１４６】
図２９等に示すように、取込ユニット１６において第１取込装置３０１側にはロッド部３４８が突出しており、このロッド部３４８が、前述した排出操作伝達装置１５４により押し込み操作されるようになっている。また、図３５等に示すように、排出ゲート部材３４０の一方の端部において、前記バネ受け部３４７の下方には、排出ゲート部材３４０の長手方向に延びる突起部３５５が形成されている。一方、排出ゲート部材３４０の一端側に設けられるカバー部材３５１には排出ゲート検出センサ３５６が設けられている。かかる構成において、排出操作伝達装置１５４の操作に伴い排出ゲート部材３４０が動作すると、その動作状態が排出ゲート検出センサ３５６により逐次検出されるようになっている。その詳細を図３６により説明する。図３６において、（ａ）はロッド部３４８（排出ゲート部材３４０）を押し込み操作する前の初期状態を示し、（ｂ）はロッド部３４８（排出ゲート部材３４０）を押し込み操作した状態を示す。
【０１４７】
図３６に示すように、取込ユニット１６の側方（本遊技機１では前側）に排出操作伝達装置１５４が設けられており、ロッド部３４８の先端部が排出操作伝達装置１５４の第２リンク片１９５の回動先端部に相対向している。この場合、図３６の（ａ）では、排出ゲート部材３４０が初期位置にあるため、排出通路３１６の入口が閉鎖されており、遊技球の排出通路３１６への流れ込みが阻止されている。この状態では、排出ゲート部材３４０の突起部３５５が取込装置３０３の外方に突出しておらず、該突起部３５５が排出ゲート検出センサ３５６により検出されない。
【０１４８】
これに対し、図３６の（ｂ）では、排出操作伝達装置１５４において操作レバー１９８の操作により各リンク片１９４，１９５が回動動作し、その動作がロッド部３４８に伝達される。これにより、排出ゲート部材３４０が排出通路３１６を開放する位置に移動し、遊技球の排出通路３１６への流れ込みが許容される。この状態では、排出ゲート部材３４０の突起部３５５が取込装置３０３の外方に突出し、それに伴い該突起部３５５が排出ゲート検出センサ３５６により検出される。排出ゲート検出センサ３５６は、排出ゲート部材３４０の操作状態（操作位置）を検出するための排出操作検出手段を構成するものとなっている。
【０１４９】
排出ゲート検出センサ３５６による検出信号は、後述する主制御装置５０５に対して出力される。この場合、主制御装置５０５は、排出ゲート検出センサ３５６の検出信号に基づいて排出通路３１６の開閉の状態を検知し、排出通路３１６が開放状態にある場合には遊技球の取込動作（取込ゲート部材３２０の動作）を禁止するなどの処理を実行する。排出通路３１６の開放時に遊技球の取込動作を禁止することにより、遊技球の取込状態が不安定になったり、取り込まれる遊技球の検知精度が低下したりするなどの不都合が解消される。
【０１５０】
また、図３２，図３３に示すように、取込装置３０３には、取込通路３１５における遊技球の通過を検出するセンサユニット３７０が設けられている。このセンサユニット３７０は、取込通路３１５を通過する遊技球数をカウントするための遊技球カウント手段を構成するものであり、発光素子と受光素子とからなる周知の光学式センサを備える。
【０１５１】
センサユニット３７０は、略コ字形状をなしており、第１，第２ハウジング３１１，３１２に跨るようにして組み付けられている。詳細には、センサユニット３７０は、取込装置３０３の厚さ方向に延びるセンサ本体部３７１と、該センサ本体部３７１の両端から各ハウジング３１１，３１２の外壁面に沿って取込通路３１５側に延びるアーム部３７２，３７３とを有している。センサ本体部３７１にはセンサ回路基板（図示略）が収容されており、そのセンサ本体部３７１の背面部にはセンサ回路基板上に設けたコネクタ端子３７４を外部に露出させるためのコネクタ穴３７１ａが形成されている。
【０１５２】
アーム部３７２，３７３のうち一方には発光素子が収容されるとともに、他方には受光素子が収容されている。また、アーム部３７２，３７３の先端部には、互いに内側となる部位に上下一対のセンサ検出孔３７６が形成されている。この場合、アーム部３７２，３７３内には各２個ずつの発光素子と受光素子が収容されており、これら各素子はセンサ検出孔３７６を通じて発光及び受光を行うようになっている。第１，第２ハウジング３１１，３１２には、上下一対の透孔３７８が形成されており、ハウジング接合状態で、各ハウジング３１１，３１２にセンサユニット３７０が組み付けられた場合には、各アーム部３７２，３７３の先端部に設けたセンサ検出孔３７６の位置と、各ハウジング３１１，３１２の透孔３７８の位置とが合致し、それらが向き合うようにして配置される。
【０１５３】
図３２に示すように、ハウジング内部において、透孔３７８は取込通路３１５内で中心から幾分オフセットした位置に設けられている。この透孔３７８の位置がセンサユニット３７０による遊技球検出位置である。この場合特に、透孔３７８は、取込ゲート部材３２０の先端部に形成した爪部３２０ａの真下位置（図３２において取込通路３１５の右方オフセット位置）に設けられており、取込ゲート部材３２０の爪部３２０ａが没入側に移動しない限りセンサユニット３７０により遊技球が検出されることはないようになっている。仮に、透孔３７８が取込通路３１５において逆側（図３２において取込通路３１５の左方オフセット位置）に設けられた場合を想定すると、取込ゲート部材３２０の爪部３２０ａが突出位置にある状態での遊技球誤検出（排出通路３１６を通じての遊技球排出時の遊技球誤検出も含む）を防止するには透孔３７８の位置を図示の位置よりも下方に下げる必要が生じるが、本遊技機１の上記構成によれば、透孔３７８を取込ゲート部材３２０の爪部３２０ａの近傍に配置することが可能となる。したがって、取込ゲート部材３２０の開放により流下する遊技球をいち早く検出することが可能となる。
【０１５４】
取込ゲート部材３２０が開放された状態で遊技球が取り込まれる際、センサユニット３７０において上下の各センサ素子（発光素子＋受光素子）では、先に上流側のセンサ素子で遊技球が検出され、その後下流側のセンサ素子で遊技球が検出される。これら各センサ素子による検出信号は、遊技球の取込を管理する後述の主制御装置５０５に順に出力される。この場合、主制御装置５０５では、各センサ素子による遊技球検出信号によって正常に遊技球の取込が行われたかどうかが判定される。具体的には、所定の規定時間内に、上流側のセンサ素子→下流側のセンサ素子の順で遊技球の検出が行われた場合のみ、正常に遊技球の取込が行われたと判定される。
【０１５５】
仮に、上流側のセンサ素子による遊技球検出から下流側のセンサ素子による遊技球検出までの所要時間が規定時間よりも長い場合や、正常時とは逆に下流側のセンサ素子→上流側のセンサ素子の順で遊技球の検出が行われた場合には異常とみなされ、その旨が報知されるとともにそれ以降の遊技が停止される。したがって、例えば、遊技球やその他ダミー被検出物にひも等を付けて上下させることにより、あたかも複数の遊技球が取り込まれたようにするなどの不正行為が防止できるようになっている。
【０１５６】
上記のように、センサユニット３７０では各アーム部３７２，３７３のうち一方が発光部、他方が受光部となっており、それら発光部と受光部とが一体で設けられている。これにより、発光素子と受光素子との位置合わせ精度を高めることができ、遊技球の検出精度を良好なものとすることができる。また、各アーム部３７２，３７３を連結するセンサ本体部３７１にセンサ回路基板を設けるとともに、該センサ回路基板上に設けたコネクタ端子３７４によって外部基板との電気的な接続を可能としたため、発光素子や受光素子に繋がる信号線を統合してまとめることができ、さらに外部基板に対する配線の接続も容易なものとなる。
【０１５７】
ここで、上述したように、入口通路３０７は上壁が除去されていることにより、上方に開放されている。但し、図３２に示すように、排出通路３１６側の通路壁が入口通路３０７側に若干延出しており、その延出壁３１８により透孔３７８の上方は覆われている。これにより、入口通路３０７が上方に開放された構成において、遊技機１が多数設置される遊技場の場内照明や後述する蛍光管５５４等からの光が取込通路３１５内に入り込むことが防止されている。取込通路３１５内に光が入り込むと、その光をセンサユニット３７０の受光素子が感知し、遊技球の検出が正確に行われなくなるおそれがあるからである。また、当該延出壁３１８は、図２８（ａ）等に示すように、上皿１５１に取り付けられたカバー部材１５２と重なっている。これにより、取込装置３０１〜３０３内への不正用治具の挿入が困難なものとなり、当該治具を用いた不正行為を抑制することができる。
【０１５８】
取込通路３１５の最下流部には、取込ゲート部材３２０を通過した遊技球をセンサユニット３７０で検出した後、同遊技球を再度検出するための下流側取込センサ３８０が設けられている。この下流側取込センサ３８０は磁気検出タイプの近接センサにて構成されており、遊技球の通過に伴う磁界の変化により遊技球の通過を検出する。すなわち、板状のセンサ本体部３８１には貫通孔３８１ａが設けられており、センサ本体部３８１では貫通孔３８１ａを遊技球が通過する際の磁界の変化が検出されて電気信号として出力される。貫通孔３８１ａは略真円状をなしており、その直径は取込通路３１５の幅寸法に概ね一致している。センサ本体部３８１にはコネクタ端子３８２が設けられている。
【０１５９】
下流側取込センサ３８０による検出信号は、前記センサユニット３７０の検出信号と同様、後述する主制御装置５０５に対して出力される。この場合、主制御装置５０５では、前記センサユニット３７０の検出信号と下流側取込センサ３８０の検出信号とに基づいて今回の遊技球取込の検出結果（センサユニット３７０による取込判定の結果）が正規なものかどうか、すなわち不正なものでないかどうかが判定される。具体的には、センサユニット３７０による球技球カウント数（例えば、一方のセンサ素子の検出結果による遊技球カウント数）と、下流側取込センサ３８０による遊技球カウント数とを比較し、それら各カウント数が一致する場合に、今回の遊技球取込の検出結果（センサユニット３７０による取込判定の結果）が正規であると判定する。これに対し、各カウント数が不一致となる場合に、今回の遊技球取込の検出結果（センサユニット３７０による取込判定の結果）が正規なものでなく、不正行為によるものであると判定する。
【０１６０】
取込ユニット１６に対する不正行為として、センサユニット３７０に、遊技球の通過を誤検出させるように発光動作する不正装置を取り付けることが考えられる。例えば、実際の遊技球取込に関係なく点滅動作するような２つの発光体を備えてなる不正装置を本取込ユニット１６に取り付け、それら各発光体を所定順序で点滅させることで遊技球の通過を誤検出させるようにする。かかる不正行為がなされた場合、センサユニット３７０による遊技球検出だけでは不正行為による遊技球の誤検出を回避することが困難であった。この点、上記のように下流側取込センサ３８０の検出信号による不正確認によって、不正行為による遊技球の誤検出を回避することができる。
【０１６１】
取込通路３１５に、互いに検出方式の異なる２つのセンサ装置（センサユニット３７０、下流側取込センサ３８０）を設けたため、各センサ装置のいずれにおいても遊技球を誤検出させるようにすることは困難なものとなる。故に、取込ユニット１６における不正対策が望ましいものとなっている。
【０１６２】
上述した取込装置３０３の各構成部材（排出ゲート部材３４０を除く、取込ゲート部材３２０、ソレノイド３２５を含むゲート駆動機構、センサユニット３７０等）は、入口通路３０７と取込通路３１５とのコーナー部分の内側領域に集約して配設されている。これにより、各構成部材を限られた領域内で効率良く配置することができ、結果として取込装置３０３の小型化（薄型化も含む）が実現できるようになっている。
【０１６３】
上記構成の取込装置３０１〜３０３が３連で設けられた本取込ユニット１６では、上皿１５１の案内通路１７１〜１７３から各取込装置３０１〜３０３にそれぞれ遊技球が供給され、遊技機前面のベットスイッチ３７の操作に伴い各取込装置３０１〜３０３では各々で遊技球が取り込まれる。具体的には、例えば１５個（マックスベット分）の遊技球が取り込まれる場合、全ての取込装置３０１〜３０３において同時に取込ゲート部材３２０が開放位置に操作され、遊技球の取込が一斉に開始される。このとき、各取込装置３０１〜３０３では遊技球が５個ずつ取り込まれる。
【０１６４】
ただし、３個の取込装置３０１〜３０３のうちいずれかの取込装置に遊技球が充填されていない場合、又はソレノイド３２５の故障などでいずれかの取込装置が正常に作動しない場合には、正常な取込動作を行うことができる残りの取込装置により遊技球の取込が行われる。例えば、第１取込装置３０１に遊技球が充填されていないとき又は同取込装置３０１のソレノイド３２５などが故障しているときには、第１取込装置３０１以外の取込装置（第２，第３取込装置３０２，３０３）によって１５個の遊技球が取り込まれることとなる。
【０１６５】
一方、取込装置３０１〜３０３や上皿１５１に残っている遊技球を下皿７１へ排出する場合には、遊技機前面の操作レバー１９８の操作に伴い排出ゲート部材３４０が操作されて各取込装置３０１〜３０３で一斉に遊技球の排出が行われる。
【０１６６】
（面替えブロック５の説明）
次に、面替えブロック５について説明する。図３７は面替えブロック５を斜め前方より見た斜視図、図３８は同面替えブロック５を斜め後方から見た斜視図、図３９は同面替えブロック５の正面図である。また、図４０，図４１は面替えブロック５の分解斜視図である。
【０１６７】
面替えブロック５は主要な構成として、合成樹脂製の前面枠５０１と、図柄表示装置としてのリール装置５０３と、補助演出装置としての液晶表示装置５０４と、遊技に関わる主たる各種制御を実施する主制御装置５０５と、主制御装置５０５からの指令に基づく従たる表示制御等を実施する表示制御装置５０６と、主制御装置５０５を装着するための主制御装置用台座ベース５０７と、表示制御装置５０６を装着するための表示制御装置用台座ベース５０８とを備えている。本実施の形態では、面替えブロック５は、本遊技機１の遊技内容を決定する主要部品を全て備える構成となっており、仮に遊技ホール等において機種入替を行う場合には、この面替えブロック５を現機種のものから新たな機種のものに入れ替えることで機種入替を行うことができるようになっている。すなわち、面替えブロック５は機種入替時などにおける交換ユニットとなっている。
【０１６８】
（前面枠５０１の説明）
前面枠５０１の詳細を図４２等を用いて説明する。図４２において、（ａ）は前面枠５０１を前方から見た斜視図、（ｂ）は前面枠５０１を後方から見た斜視図である。
【０１６９】
前面枠５０１は有色（例えば、黒色）の遮光性材料により形成されており、正面から見てほぼ正方形状をなしている。前面枠５０１の前面部において略台形状に縁取られた部位が、前扉体１１の視認窓２１にほぼ一致する形状及び大きさとなっている。この場合、面替えブロック５をドアブロック４に取り付けた状態では、前面枠５０１のほぼ全面が前扉体１１の視認窓２１から視認可能となっている。
【０１７０】
前面枠５０１の前面部には、横長の矩形状をなす表示窓５１１が設けられるとともに、その表示窓５１１の上方に同じく横長の矩形状をなす表示窓５１２が設けられている。なお以下の記載では、下側の表示窓５１１を「下側表示窓５１１」、上側の表示窓５１２を「上側表示窓５１２」と表記する。下側表示窓５１１は、リール装置５０３の外周に付されたリール図柄を表示するためのリール図柄表示部に相当し、上側表示窓５１２は、液晶表示装置５０４による表示画像を表示するための液晶画像表示部に相当する。
【０１７１】
各表示窓５１１，５１２は、前面枠５０１の前面部において左右方向のほぼ中央部にそれぞれ設けられており、ほぼ同じ横寸法を有する（高さ寸法は上側表示窓５１２の方が若干大きい）。ただし、各表示窓５１１，５１２の大きさ（絶対的な大きさ）や各表示窓５１１，５１２を比較した時の相対的な大きさ、各表示窓５１１，５１２の形状は任意に変更可能であり、例えば、上側表示窓５１２をより横長状としたり、上側表示窓５１２を下側表示窓５１１よりも小さくしたりしても良い。前面枠５０１の前面部において、各表示窓５１１，５１２の周囲部分は概ね平坦面にて構成されている。
【０１７２】
下側表示窓５１１の周縁部には、前方に張り出すようにして張出部５１３が設けられている。前面枠５０１の背面側にリール装置５０３を取り付けた場合には、リール装置５０３の一部が前面枠５０１の前面部（表示窓周りの平坦部）よりも前方に突き出るが、張出部５１３によって、リール装置５０３の突き出し部分が囲まれるようになっている。この場合、上下の張出部５１３によれば、リール装置５０３の前方突き出し部分において外部より視認可能／視認不可能（又は視認困難）とするリール図柄範囲を明確に分けることができる。また、左右の張出部５１３によれば、リール装置５０３内部が外方より見えることを抑制することができる。
【０１７３】
面替えブロック５をドアブロック４に装着した状態では、前面枠５０１の周縁部分（図４２のＡ部分）がドアブロック４のパネル支持部材１４（図７参照）に当接する。このとき、前面枠５０１において周縁部分（図４２のＡ部分）とそれ以外の中央部分とはほぼ面一となっている。したがって、前記装着状態では、前面枠５０１の中央部分と透明パネル２２との間に隙間ができるようになっている。
【０１７４】
本遊技機１では、ドアブロック４の視認窓２１（透明パネル１３）を通じて前面枠５０１を見た場合、各表示窓５１１，５１２を含む広範囲領域が視認可能となる。故に、前面枠５０１の前面領域に本遊技機１に関わる各種情報（機種情報や配当表など）や装飾等を付与すれば、その各種情報や装飾等を視認窓２１（透明パネル１３）を通じて遊技機前方から視認することができる。この場合、前述のとおり前面枠５０１の前面部において各表示窓５１１，５１２以外の部分は概ね平坦面であるため、この前面領域に各種情報などを付与したシール等を貼付することも可能である。
【０１７５】
図３９に示すように、前面枠５０１の下側表示窓５１１の右側には、情報表示基板５１４が設けられている。この情報表示基板５１４には、小役成立時における獲得球数を表示する獲得球数表示部や、ビッグボーナスやレギュラーボーナス等の特別遊技状態の際に例えば残りのゲーム数等を表示するゲーム数表示部が設けられている。これら表示部は７セグメント表示器によって構成されるが、液晶表示器等によって代替することは当然可能である。
【０１７６】
前面枠５０１の前面側において下側表示窓５１１の下方には、横長の下パネル部５１６が設けられている。下パネル部５１６は前扉体１１に設けた横長窓部５０を通じて遊技機前方より視認可能となる部位である。ここで、下パネル部５１６の構成について、図４３、図４４を用いて説明する。図４３は、図２２における破断部分周辺を拡大して示す図、図４４は、下パネル部５１６と、上皿１５１及び取込ユニット１６との位置関係を説明するための図である。
【０１７７】
下パネル部５１６は、前方に開放され内部が空洞のベース部５５０と、当該ベース部５５０の開口部５５１を覆うパネル５５９とを備えている。ベース部５５０には、図４３に示すように、その開口部５５１側に上下一対のレール部５５２，５５３が一体形成されている。これらレール部５５２，５５３のレール溝幅はパネル５５９の厚み寸法と略同一であり、パネル５５９の上下両端がレール部５５２，５５３に嵌合されることにより当該パネル５５９がベース部５５０に支持されている。なお、レール部５５２，５５３は、図４４の状態で見て左側に向けて開放されており、この開放側からスライドさせることによりパネル５５９の着脱が行われる。ちなみに、レール部５５２，５５３の開放方向は任意であり、図４４の状態で見て右側に向けて開放された構成であってもよい。
【０１７８】
パネル５５９はアクリル樹脂やポリカーボネート樹脂等の透明性を有する合成樹脂材料にて成形されている。パネル５５９の背面側には、本遊技機１に関わる遊技情報が付与されている。詳細には、図４５に示すように、賞球の払い出しに関する配当表が付与されている。なお、パネル５５９の背面側に付与されるものは配当表に限定されることはなく、例えば、遊技機種に対応したキャラクタなどといった装飾を付与してもよい。
【０１７９】
ベース部５５０には、パネル５５９をその背面側から照らす蛍光管５５４が配設されている。詳細には、蛍光管５５４はその長手方向の寸法がベース部５５０の左右方向の長さ寸法よりも若干短くなっており、ベース部５５０の左右両端側にそれぞれ形成された支持部５５５に支持されている。この場合に、蛍光管５５４は、ベース部５５０における下壁部５５７寄りの位置にある。蛍光管５５４には遊技機１の電源がオンとなっている間は表示制御装置５０６を介して常に駆動電力が供給されており、白色光を照射している。この蛍光管５５４からの白色光は上記配当表に対してバックライトとしての機能を果たし、パネル５５９及び横長窓部５０を透過して遊技者によって視認される。これにより、配当表が奥側から明るく照らされ、その視認性が向上されている。さらには、配当表に対して装飾効果を付与することができる。
【０１８０】
この蛍光管５５４は、図４３に示すように、上皿１５１の奥側領域Ｒ２の上方に位置している。また、ベース部５５０の下壁部５５７には、蛍光管５５４の下方の位置に蛍光管５５４の長手方向に沿って延びる横長貫通孔５５８が形成されている。さらに、上述したとおり、上皿１５１の奥側領域Ｒ２の上方を覆う上覆い板１５７は透明性を有する。よって、蛍光管５５４からの光は、上覆い板１５７を透過し上皿１５１の奥側領域Ｒ２を照らす。これにより、上皿１５１の奥側領域Ｒ２が明るく照らされるようになり、当該領域に存在する遊技球の確認を容易に行うことができる。この場合に、蛍光管５５４はその両端が各案内通路１７１〜１７３の左右両端よりも外側に位置しており、蛍光管５５４からの光により各案内通路１７１〜１７３の全体が照らされる。
【０１８１】
また、図４４に示すように、蛍光管５５４の下方領域Ｘ内には、上皿１５１だけでなく取込ユニット１６の上皿端部側が含まれている。そして、当該上皿端部側には上述したように入口通路３０５〜３０７が形成されている。よって、蛍光管５５４からの光により上皿１５１の奥側領域Ｒ２だけでなく、取込ユニット１６の入口通路３０５〜３０７が明るく照らされ、当該入口通路３０５〜３０７に存在する遊技球の確認を容易に行うことができる。
【０１８２】
下パネル部５１６の右方には、上下一対の操作スイッチ５１８，５１９が設けられている。操作スイッチ５１８，５１９は、例えば情報メニューの操作に用いられる押しボタン式のスイッチ部材であり、当該操作スイッチ５１８，５１９の押し操作によって大当たり回数、総ゲーム数、大当たり発生確率、出球数（投入遊技球数と払出遊技球数との差）などの各種情報が液晶表示装置５０４などに適宜表示される。なお、情報メニューには、その他本遊技機１における特殊ゲームの説明などが含まれる。
【０１８３】
一方、前面枠５０１の背面側において、上下の各表示窓５１１，５１２の間の開口縁部と下側表示窓５１１の下側の開口縁部とにはそれぞれ、リール装置５０３を取り付けるための長尺状のリール取付金具５２１，５２２が設けられている。
【０１８４】
また、前面枠５０１の背面側においてその右側部分には支持金具５２４が取り付けられている。支持金具５２４には上下一対の支軸５２５，５２６が設けられている。支持金具５２４の支軸５２５，５２６は、面替えブロック５をドアブロック４に回動可能に支持するための支持手段を構成するものであり、この支軸５２５，５２６がドアブロック４に設けられた軸金具１１１，１１２の軸受け部１１１ｂ，１１２ａの軸孔（図１１等参照）に差し入れられるようになっている。なお、ドアブロック４側の軸受け部１１１ｂ，１１２ａと面替えブロック５側の支軸５２５，５２６とが前記図６に示す「面替えブロック５用の支持手段Ｍ１１，Ｍ１２」に相当する。
【０１８５】
同じく前面枠５０１の背面側においてその左側部分には、主制御装置用台座ベース５０７を取り付けるための台座ベース取付手段が設けられている。この場合、主制御装置用台座ベース５０７（主制御装置５０５）は、前面枠５０１の背面側左方に縦向きに取り付けられるようになっており、台座ベース取付手段として、主制御装置用台座ベース５０７の下端部を支持するための略コ字状の支持金具５２７と、同主制御装置５０５の上端部を支持するための留め具５２８とが設けられている。
【０１８６】
さらに、前面枠５０１の背面側において左上隅部と左下隅部とには、面替えブロック５の背面側に取り付けられる払出ブロック６との結合を行うための結合フック部材５３１，５３２が設けられている。この結合フック部材５３１，５３２は、本面替えブロック５の回動軸とは反対側の回動先端側に設けられており、結合位置に操作されることにより面替えブロック５と払出ブロック６との結合状態が保たれている。また、結合フック部材５３１，５３２が結合解除位置に操作されることにより面替えブロック５と払出ブロック６との結合が解除され、払出ブロック６から分離するように面替えブロック５が回動可能となるようになっている。
【０１８７】
（リール装置５０３の説明）
図４６は、リール装置５０３の構成を示す斜視図である。リール装置５０３は、金属製のケース部材５４０と、そのケース部材５４０に収容される左・中・右の３つのリール５４１，５４２，５４３とを具備している。ケース部材５４０は、その内部に３つのリール５４１〜５４３を回転可能に収容し、かつ該リール５４１〜５４３の一部を前方に現出させるものとなっている。ケース部材５４０において上面部の前側端部には、上方に折り曲げて形成された支持固定部５４５が設けられ、下面部の前側端部には、下方に折り曲げて形成された支持固定部５４６が設けられている。これら支持固定部５４５，５４６は、リール装置５０３を前面枠５０１に取り付けるための取付手段を構成するものであり、前面枠５０１に設けたリール取付金具５２１，５２２に対してリール装置５０３の支持固定部５４５，５４６をネジ等により固定することにより、リール装置５０３が前面枠５０１の背面側に装着されるようになっている。
【０１８８】
上側の支持固定部５４５は、左右両端部に突起部５４５ａを有する形状となっている。この両突起部５４５ａは、支持固定部５４５の中央部を切り欠くことで形成したものであり、該中央部の高さを低くすることにより、前面枠５０１に対して液晶表示装置５０４を着脱する際の干渉を回避することができるようになっている。
【０１８９】
ケース部材５４０の上部には、リール装置５０３と主制御装置５０５などの制御系との電気的な接続を行うためのリール中継基板５４８が設置されている。
【０１９０】
各リール５４１〜５４３の構成については周知であるため、ここでは詳細な図示を省略し、その構成を簡単に説明する。各リール５４１〜５４３は、円筒状のかごを形成する円筒骨格部材と、その外周に巻回された帯状のベルトとを備えている。ベルトの外周面には、識別情報としての図柄が等間隔ごとに多数印刷されている（例えば２１図柄）。各リール５４１〜５４３の中央部には、駆動源としてのステッピングモータが設けられており、該ステッピングモータの駆動により各リール５４１〜５４３が個別に、すなわちそれぞれ独立して回転駆動される。リール装置５０３には、その他の構成として、各リール５４１〜５４３の回転位置を検出するためのリールインデックスセンサ（回転位置検出センサ）が設置されている。また、各リール５４１〜５４３の内周側には、蛍光ランプ等よりなるバックライト（後方発光手段）が設けられており、このバックライトにより、リール外周面に付された各図柄が後方より明るく照らされるようになっている。バックライトの発光によって、リール外周面に付された各図柄の視認性の向上や、遊技に際し補助的な演出の多様化を図ることができる。
【０１９１】
（主制御装置５０５等の説明）
次に、主制御装置５０５や表示制御装置５０６等の構成を図４０等を用いて説明する。
【０１９２】
主制御装置５０５は、ＣＰＵやメモリ等の電子部品が実装された主制御基板５６１と、この主制御基板５６１を収容するための略直方体形状のケース部材（表ケース５６２及び裏ケース５６３）とから構成されている。表ケース５６２及び裏ケース５６３は透明な合成樹脂材料にて成形されており、この透明な表ケース５６２及び裏ケース５６３によってその内部の主制御基板５６１が視認可能となっている。
【０１９３】
主制御装置用台座ベース５０７は、主制御装置５０５を一方向にスライド可能に装着する台座部材であり、本実施の形態では、台座ベース５０７に対して主制御装置５０５を上方にスライドさせることにより、同台座ベース５０７から主制御装置５０５を離脱させることができるようになっている。
【０１９４】
主制御装置用台座ベース５０７の下側角部付近には、前面枠５０１に設けられた支持金具５２７に回動可能に支持される被支持部５０７ａが設けられている。この場合、被支持部５０７ａが支持金具５２７に支持されることにより、当該被支持部５０７ａを支点として前面枠５０１に対して主制御装置用台座ベース５０７（主制御装置５０５）が回動可能（言い換えれば、後方に傾倒可能）となっている。
【０１９５】
表ケース５６２、裏ケース５６３及び主制御装置用台座ベース５０７には、これら各部材を連結する封印手段としての封印部ｆ１，ｆ２，ｆ３（いわゆるカシメ部）が設けられている。封印部ｆ１〜ｆ３は、破壊等を伴うことでケース部材を開封可能とするものであり、開封後には破壊などがなされた部材が開封履歴として残るため、その開封履歴によって開封事実の確認が可能となっている。これにより、仮にケース部材が不正に開封された場合などにおいては、封印部ｆ１〜ｆ３の確認によって不正行為の発見が可能となっている。
【０１９６】
一方、表示制御装置５０６は、ＣＰＵやメモリ等の電子部品が実装された表示制御基板５７１と、この表示制御基板５７１を収容するための略直方体形状のケース部材（表ケース５７２及び裏ケース５７３）とから構成されている。表ケース５７２及び裏ケース５７３は透明な合成樹脂材料にて成形されており、この透明な表ケース５７２及び裏ケース５７３によってその内部の表示制御基板５７１が視認可能となっている。裏ケース５７３には、三角形状の脚部５７３ａが設けられている。表示制御装置５０６は、表示制御装置用台座ベース５０８上に固定された状態で前面枠５０１の背面に取り付けられている。このとき、裏ケース５７３に設けた脚部５７３ａによって、表示制御装置５０６は斜めに傾いた状態で取り付けられている。また、表示制御装置用台座ベース５０８には外部端子板５７５が取り付けられている。
【０１９７】
上記構成では、主制御装置５０５において主制御基板５６１の電子部品実装面が外方を向くようにして配置され、また表示制御装置５０６において表示制御基板５７１の電子部品実装面が後方側の斜め上方を向くようにして配置されている。こうした配置により、主制御基板５６１や表示制御基板５７１に対する不正確認が容易となっている。
【０１９８】
液晶表示装置５０４は、液晶パネル５８１と、該液晶パネル５８１を駆動する液晶ドライバ５８２とにより構成されている。
【０１９９】
（面替えブロック５として完成状態の説明）
面替えブロック５の完成状態を図３７，図３８を用いてあらためて説明する。面替えブロック５としては、前面枠５０１の背面側にリール装置５０３が取り付けられ、リール装置５０３の上方に液晶表示装置５０４が取り付けられている。また、リール装置５０３の側方に主制御装置５０５が取り付けられるとともに、同リール装置５０３の上方に台座ベース５０７を介して表示制御装置５０６が取り付けられている。
【０２００】
面替えブロック５の前面側において、前面枠５０１の上側表示窓５１２からは液晶パネル５８１のパネル面全体が視認できる。また、同前面枠５０１の下側表示窓５１１からはリール装置５０３の各リール５４１〜５４３の一部が視認できる。このとき、各リール５４１〜５４３の外周に付された多数（本実施の形態では２１個）の図柄のうち、リール毎に３つずつの図柄が下側表示窓５１１を通じて視認できるようになっている。
【０２０１】
（払出ブロック６の説明）
次に、払出ブロック６について説明する。図４７及び図４８は払出ブロック６の斜視図、図４９は払出ブロック６の背面図、図５０は払出ブロック６から払出装置６１８等を分離させて示す斜視図、図５１は払出ブロック６から制御装置類を取り外した状態を示す斜視図、図５２は払出ブロック６から制御装置類を取り外した状態を示す背面図である。なお図５２では、当該払出ブロック６に形成される遊技球通路を点線にて図示している。
【０２０２】
払出ブロック６は、合成樹脂材料にて一体成形された裏カバー部材６０１と、遊技球を払い出すための払出機構６０２と、払出制御を司る払出制御装置６０３と、外部電源から生成した電源電圧を各種制御装置やアクチュエータ類などに供給する電源装置６０４とを有しており、これらを一体化することにより構成されている。
【０２０３】
裏カバー部材６０１は、略平坦状をなすベース部６１１と、後方（遊技機１の後方）に突出し略直方体形状をなす保護カバー部６１２とを有する。保護カバー部６１２は左右及び上下の各面と背面とが閉鎖された形状をなし、少なくとも前記面替えブロック５のリール装置５０３、主制御装置５０５及び表示制御装置５０６を収容するのに十分な大きさを有する。なお図示は省略するが、保護カバー部６０４の背面には多数の通気孔を設けることも可能である。ベース部６１１と保護カバー部６１２とは上記のとおり一体成形される他、各々別体にて成形されてネジ等により一体化されるものであっても良い。
【０２０４】
払出機構６０２は、保護カバー部６１２を迂回するようにして裏カバー部材６０１のベース部６１１に取り付けられている。すなわち、払出機構６０２として、裏カバー部材６０１の最上部には上方に開口したタンク６１５が設けられており、タンク６１５には遊技ホールの島設備から供給される遊技球が逐次補給される。タンク６１５の下方には、例えば前後方向４列（４条）の球通路を有し下流側に向けて緩やかに傾斜するタンクレール６１６が連結され、タンクレール６１６の下流側には上下方向に延びるケースレール６１７が連結されている。
【０２０５】
ケースレール６１７の最下流部には、遊技球の払出を行うための払出装置６１８が設けられている。図５２に示すように、払出装置６１８は、払出モータ６１９と、該払出モータ６１９により駆動される払出ゲート部材６２０とを有しており、払出制御装置６０３からの制御信号により払出モータ６１９が駆動され、その払出モータ６１９の駆動に伴い払出ゲート部材６２０が通路開放位置に移動する。そしてこれにより、必要個数の遊技球の払出が適宜行われる。
【０２０６】
払出装置６１８は、遊技時の入賞等に伴い行われる遊技球払出機能の他に、メンテナンス時などにおいてケースレール６１７等に滞在している遊技球を外部に排出するための遊技球排出機能を有しており、遊技球排出時には、通路切換レバー６２１が払出実行位置から排出実行位置に切り換えられ、かつ払出モータ６１９が駆動されることによって遊技球の外部排出が行われる。
【０２０７】
ケースレール６１７は、前記タンクレール６１６と同様、前後方向に４列分設けられ、それに合わせて払出装置６１８も４列分設けられている。この場合、図５０に示すように、裏カバー部材６０１のベース部６１１には、金属板６２５が重ね合わせて設けられ、その金属板６２５上に起立するようにして金属製の２本のボス部材６２６が設けられている。なお、図４８において符号６２７はボス部材６２６の基端部を固定するための金属板である。つまり、ボス部材６２６は、表裏２枚の金属板６２５，６２７によってその基端部が強固に固定されている。そして、ボス部材６２６を挿通させた状態で、４列分の払出装置６１８がまとめて固定されている。
【０２０８】
払出装置６１８の下流側には、やはり４列分の遊技球通路を形成するための通路形成部材６３０が設けられている。この通路形成部材６３０は、その内部に払出通路６３１と排出通路６３２とを有するものであり、遊技球が払出通路６３１を通過することにより前記上皿１５１等への払出が行われる。また、遊技球が排出通路６３２を通過することにより遊技球の外部排出が行われる。通路形成部材６３０は、金属板６２５上に設けられた２本の支柱部材６３３により固定されている。
【０２０９】
通路形成部材６３０には、払出制御装置６０３から払出装置６１８への払出指令の信号を中継する払出中継基板６３５が設置されている。なお図示は省略するが、ケースレール６１７の上流部には、タンク６１５やタンクレール６１６から供給される遊技球の有無を検出するタンク球無しセンサが設けられている。また、払出装置６１８には、払出モータ６１９の回転を検出する払出回転センサや、払い出される遊技球数をカウントする払出カウントスイッチが設けられている。
【０２１０】
払出機構６０２におけるタンクや通路部材類はいずれも導電性を有する合成樹脂材料、例えば導電性ポリカーボネート樹脂にて成形され、その一部にてアースされている。これにより、遊技球の帯電によるノイズの発生が抑制されるようになっている。
【０２１１】
ベース部６１１において通路形成部材６３０の下流側には、上記払出機構６０２から流下してきた遊技球を分配するための遊技球分配部６４０が設けられている。この遊技球分配部６４０には、図５０に示すように、３つの通路開口部６４１，６４２，６４３が設けられており、そのうち通路開口部６４１は上皿１５１に連通し、通路開口部６４２は下皿７１に連通し、通路開口部６４３は遊技機外部に繋がる遊技球排出部に連通する構成となっている。
【０２１２】
ここで、遊技球分配部６４０よりも下流側の遊技球通路について図５２を用いて説明する。裏カバー部材６０１において保護カバー部６１２の下方には、遊技球分配部６４０の通路開口部６４１に連通する上皿案内通路６５１が設けられている。その上皿案内通路６５１は裏カバー部材６０１の前面側に開口しており、払出ブロック６をドアブロック４に装着した状態では、上皿案内通路６５１の前面側開口部が上皿ユニット１５の排出口１６３（図７等参照）に連通する構成となっている。
【０２１３】
また、裏カバー部材６０１には、遊技球分配部６４０の通路開口部６４２に連通する下皿案内通路６５２と、同遊技球分配部６４０の通路開口部６４３に連通する外部排出通路６５３とが並行して設けられている。下皿案内通路６５２は裏カバー部材６０１の前面側に開口しており、払出ブロック６をドアブロック４に装着した状態では、下皿案内通路６５２の前面側開口部が内枠１２の下皿連通路１４５（図７等参照）に連通する構成となっている。なお、図中の符号６５５は、下皿７１が満タンとなることで上流側に遊技球が溢れてきた場合にそれを検知するための下皿満タンスイッチである。
【０２１４】
かかる場合、通路形成部材６３０の払出通路６３１を流下してきた遊技球は、基本的にそのまま通路開口部６４１に流れ込み、その後上皿案内通路６５１を介して上皿１５１に排出される。ただし、上皿１５１が満タンとなることで余剰となった遊技球が上皿案内通路６５１を通じて溢れてくる場合には、その余剰の遊技球が通路開口部６４２に流れ込み、その後下皿案内通路６５２を介して下皿７１に排出される。また、通路形成部材６３０の排出通路６３２を流下してきた遊技球は、外部排出通路６５３を介して遊技機外部（遊技ホールの島設備）に排出される。
【０２１５】
また、本払出ブロック６をドアブロック４に装着した場合には、ドアブロック４に設けられる取込ユニット１６の背後及びその周辺が払出ブロック６により囲まれることとなる。この場合特に、裏カバー部材６０１のベース部６１１には、球留め装置１５５の操作レバー２１３の形状に合わせたレバー挿通孔６５７が設けられており、そのレバー挿通孔６５７に球留め装置１５５の操作レバー２１３が挿通されるようになっている。レバー挿通孔６５７は、操作レバー２１３が取込ユニット保持位置（ホールド板片２２４が取込ユニット１６の背面に当接した状態）にある場合にのみ、操作レバー２１３が挿通可能となる形状及び大きさで設けられており、仮に操作レバー２１３が取込ユニット取り外し位置（ホールド板片２２４が取込ユニット１６の背面に当接していない状態）にある場合には、ドアブロック４に対して払出ブロック６を装着しようとしても、操作レバー２１３がレバー挿通孔６５７に挿通できないために該装着ができないようになっている。
【０２１６】
したがって、ドアブロック４に対して取込ユニット１６を装着した後、球留め装置１５５の操作レバー２１３を取込ユニット保持位置に操作することが忘れられてしまうといった作業上のミステークを回避することができる。またこのとき、操作レバー２１３が確実に取込ユニット保持位置に操作されることにより、遊技に際し、上皿１５１から取込ユニット１６への遊技球の流れが意に反して阻害されるといった不都合も回避できる。
【０２１７】
裏カバー部材６０１において内面側（前方側）から見て左端部には、支持金具６６１が取り付けられている。支持金具６６１には上下一対の支軸６６２，６６３が設けられている。また、支持金具６６１の下方には、支軸６６６を有する支持金具６６５が取り付けられている。これら各支持金具６６１，６６５の支軸６６２，６６３，６６６は、払出ブロック６をドアブロック４に回動可能に支持するための支持手段を構成するものであり、この支軸６６２，６６３，６６６がドアブロック４に設けられた軸金具１１１，１１２，１１３の軸受け部１１１ａ，１１２ｂ，１１３ｂの軸孔（図７等参照）に差し入れられるようになっている。なお、ドアブロック４側の軸受け部１１１ａ，１１２ｂ，１１３ｂと払出ブロック６側の支軸６６２，６６３，６６６とが前記図６に示す「払出ブロック６用の支持手段Ｍ２１〜Ｍ２３」に相当する。
【０２１８】
裏カバー部材６０１の内面側において保護カバー部６１２を挟んでその上下部位には、面替えブロック５に設けた２つの結合フック部材５３１，５３２に係止される金属製の係止片６７１，６７２が取り付けられている。面替えブロック５と払出ブロック６とを重ねた状態で面替えブロック５の結合フック部材５３１，５３２を係止位置に操作することにより両ブロック５，６の結合状態とされ、同結合フック部材５３１，５３２を係止解除位置に操作することにより両ブロック５，６が分離可能となるようになっている。
【０２１９】
この場合、結合フック部材５３１，５３２の操作は払出ブロック６の裏カバー部材６０１よりも前方側でのみ可能であり、払出ブロック６の前方側が開放されていなければ、結合フック部材５３１，５３２の係止解除操作が不可能となっている。つまり、面替えブロック５と払出ブロック６との一体物をドアブロック４に装着した状態（図３に示す状態）では結合フック部材５３１，５３２が内部に隠れており、結合フック部材５３１，５３２の手動操作による面替えブロック５及び払出ブロック６の開放操作が不可能となっている。
【０２２０】
また、同じく裏カバー部材６０１の内面側において、前記支持金具６６１とは反対側であって保護カバー部６１２を挟んで上方及び下方となる各部位には、ドアブロック４に設けた施錠装置１２０の鉤金具部１３３，１３４に係止される金属製の係止片６７３，６７４が取り付けられている。ドアブロック４に対して払出ブロック６が閉じられた状態では、施錠装置１２０の鉤金具部１３３，１３４により係止片６７３，６７４が係止され、払出ブロック６が開放不可能とされる。そして、操作キーによる解錠操作に伴い鉤金具部１３３，１３４が係止解除位置に移動すると、係止片６７３，６７４の係止が解除され、払出ブロック６が開放可能となる。
【０２２１】
また特に、保護カバー部６１２には、係止片６７３，６７４を囲むようにして遮蔽カバー６７５，６７６が設けられている。この遮蔽カバー６７５，６７６は、前方にのみ開放したボックス状をなすものであり、その後方からは指や道具等を差し入れることができないようになっている。したがって、ドアブロック４に対して払出ブロック６が閉じられた状態（図３に示す状態）では施錠装置１２０の施錠状態（鉤金具部１３３，１３４と係止片６７３，６７４との係止状態）が不正に解除されることはなく、不正の抑止効果が得られる。
【０２２２】
その他に、裏カバー部材６０１には、払出ブロック６をドアブロック４に装着した状態で固定するためのロック部材６７８，６７９が設けられている。ロック部材６７８，６７９は、内枠１２の鉤金具１４７，１４８（図１１参照）に対応する位置に設けられており、それぞれ鉤金具１４７，１４８に係止される係止片を有する構成となっている。この場合、鉤金具１４７，１４８に対して各ロック部材６７８，６７９の係止片を係止状態にすることでドアブロック４に払出ブロック６が固定される。また、施錠装置１２０による施錠を解除した後、各ロック部材６７８，６７９の係止状態を解除することでドアブロック４から払出ブロック６が取り外しできるようになっている。
【０２２３】
（払出制御装置６０３と電源装置６０４との説明）
次に、裏カバー部材６０１の背面側に取り付けられた払出制御装置６０３と電源装置６０４とを図４９等に基づいて説明する。
【０２２４】
払出制御装置６０３は、前記主制御装置５０５等と同様、ＣＰＵやメモリ等の電子部品が実装された払出制御基板６８１と、その払出制御基板６８１を収容する基板ボックス６８２とから構成されている。基板ボックス６８２は透明な合成樹脂材料にて成形されており、この透明な基板ボックス６８２によってその内部の払出制御基板６８１が視認可能となっている。基板ボックス６８２には、同ボックス６８２を構成する表側及び裏側のケース部材を連結する封印手段としての封印部６８３（いわゆるカシメ部）が設けられている。封印部６８３は、破壊等を伴うことで基板ボックス６８２を開封可能とするものであり、開封後には破壊などがなされた部材が開封履歴として残るため、その開封履歴によって開封事実の確認が可能となっている。これにより、仮に基板ボックス６８２が不正に開封された場合などにおいては、封印部６８３の確認によって不正行為の発見が可能となっている。
【０２２５】
また、払出制御装置６０３の基板ボックス６８２には、ナイラッチ（登録商標）等よりなる固定具６８４，６８５が設けられており、他方当該払出制御装置６０３が取り付けられる裏カバー部材６０１のベース部６１１には、被取付孔部６８６，６８７が設けられている（図５１参照）。この場合、払出制御装置６０３を所定の取付位置に配置し、被取付孔部６８６，６８７に対して固定具６８４，６８５を固定操作状態とすることにより、裏カバー部材６０１に対する払出制御装置６０３の装着が完了する。
【０２２６】
一方、電源装置６０４は、電源基板６９１とその電源基板６９１を収容する基板ボックス６９２とにより構成されている。基板ボックス６９２は透明な合成樹脂材料にて成形されており、この透明な基板ボックス６９２によってその内部の電源基板６９１が視認可能となっている。電源装置６０４には、本遊技機１を起動させるための電源スイッチ６９４と、本遊技機１の各種状態をリセットするためのリセットスイッチ６９５と、ホール管理者などが払出遊技球の出玉調整を行うための設定キースイッチ６９６とが設けられている。本遊技機１０は各種データのバックアップ機能を有しており、万一停電が発生した際でも停電時の状態を保持し、停電からの復帰（復電）の際には停電時の状態に復帰できるようになっている。この場合、例えば、遊技ホールの営業が終了する場合のように通常手順で電源を遮断すると遮断前の状態が記憶保持されるが、リセットスイッチ６９５を押しながら電源スイッチ６９４をオンするとバックアップデータがリセットされるようになっている。また、電源スイッチ６９４がオンされている状態でリセットスイッチ６９５を押した場合にはエラー状態がリセットされる。また、ホール管理者等による設定キーの操作により設定キースイッチ６９６が操作されることにより、本遊技機１の設定状態が多段階で変更される。このとき、例えば「設定１」から「設定６」の６段階で設定変更が行われ、その設定変更に伴い当選確率などが変更されるようになっている。なお、電源装置６０４は、ネジ等により裏カバー部材６０１のベース部６１１に固定される。
【０２２７】
その他、裏カバー部材６０１のベース部６１１には、球貸しユニットから貸し出される遊技球の払出等を管理する球貸しユニット接続基板６９８が設けられている。
【０２２８】
（面替えユニット５の交換作業等の説明）
上述したように面替えブロック５は交換可能ユニットとなっており、ここでは遊技ホールでの機種入替時などにおける面替えブロック５の交換作業について説明する。
【０２２９】
まずは規定の操作キーを施錠装置１２０のキーシリンダ１３７に差し込んで所定方向（時計回り方向）に回動操作し、外枠２に対するドアブロック４の施錠状態を解除する。そして、ドアブロック４を手前側に開放する。このとき、ドアブロック４と共に面替えブロック５や払出ブロック６が一体動作する。これが図３に示す状態である。
【０２３０】
次に、同じく操作キーを前記所定方向と反対方向（反時計回り方向）に回動操作し、ドアブロック４に対する払出ブロック６の施錠状態を解除する。また、払出ブロック６の裏カバー部材６０１に設けた各ロック部材６７８，６７９を指等でアンロック状態に操作する。これにより、ドアブロック４に対して面替えブロック５及び払出ブロック６の一体物が回動可能（開放動作可能）となり、その面替えブロック５及び払出ブロック６の一体物を後方に回動させる。そして更に、面替えブロック５に設けた結合フック部材５３１，５３２を結合解除位置に操作し、面替えブロック５を前方に回動させると図４に示す状態となる。なおこの状態で、各ブロック間の電気配線等を適宜外しておく。
【０２３１】
そして、図４の状態で、面替えブロック５を上方に持ち上げるようにしてドアブロック４から取り外す。このとき、ドアブロック４側に設けられた軸金具１１１，１１２の軸受け部１１１ｂ，１１２ａから面替えブロック５側に設けられた支軸５２５，５２６が引き抜かれ、ドアブロック４から面替えブロック５が分離される。
【０２３２】
その後、新しい面替えブロック５を取り外し時と逆の作業手順で装着する。すなわち、新しい面替えブロック５をドアブロック４に取り付け、電気配線等の接続を適宜実行する。そして、面替えブロック５と払出ブロック６とを重ねた状態で結合フック部材５３１，５３２を結合位置に操作し、次に、面替えブロック５及び払出ブロック６の一体物をドアブロック４側に回動させてこれらを重ねた状態とする。このとき、ドアブロック４に対する払出ブロック６の施錠が行われる。その後、払出ブロック６の各ロック部材６７８，６７９を指等でロック状態に操作する。最後にドアブロック４を外枠２に対して閉じると、遊技機１の入替作業が完了する。
【０２３３】
上記の面替えブロック５の交換作業に際し、操作キーによるドアブロック４の施錠解除以外は何ら特別な工具等を必要することはなく、交換作業の容易化が図られている。
【０２３４】
またここで、ドアブロック４の前面側に設けられた上部カバー体９４の取り外し作業について、施錠装置１２０の解錠操作に絡めながら説明する。
【０２３５】
まずは、操作キーを施錠装置１２０のキーシリンダ１３７に差し込んで所定方向（時計回り方向）に回動操作し、外枠２に対するドアブロック４の施錠状態を解除する（これが「第１の解錠操作」に相当する）。そして、外枠２に対してドアブロック４、面替えブロック５及び払出ブロック６の一体物を手前側に開放することで図３に示す状態とする。このとき、ネジ付け部１０９（図３参照）のネジ締結を外すことにより、ドアブロック４から上部カバー体９４の取り外しが可能となり、上部カバー体９４の取り外し後に、ランプ基板１０７や上部スピーカ９２のメンテナンス等が行われる。このメンテナンス等の作業時にはドアブロック４等を開状態のままにしておく必要はなく、ドアブロック４等を閉じた状態での作業が可能となっている。
【０２３６】
ちなみに、リール装置５０３等のメンテナンス時や主制御装置５０５等の点検時などにおいては、ドアブロック４、面替えブロック５及び払出ブロック６の一体物の開放後に、操作キーの回動操作により、ドアブロック４に対する払出ブロック６の施錠状態を解除する（これが「第２の解錠操作」に相当する）。更に、各ロック部材６７８，６７９や結合フック部材５３１，５３２を結合解除操作して面替えブロック５と払出ブロック６とを分離させる（図４の状態）。そしてこの状態で、リール装置５０３等のメンテナンスや主制御装置５０５等の点検などが行われる。
【０２３７】
上記のようにランプ基板１０７や上部スピーカ９２のメンテナンス等が行われる場合、リール装置５０３等のメンテナンスや主制御装置５０５の点検などとは異なり、第２の解錠操作やその後の面替えブロック５と払出ブロック６との分離作業等が不要となり、メンテナンス等の作業性が向上する。
【０２３８】
（電気的構成の説明）
次に、本遊技機１の電気的構成について、図５３のブロック図に基づいて説明する。図５３では、電気的な各構成要素を、ドアブロック４、面替えブロック５及び払出ブロック６に区分けして示している。また、電源装置６０４から供給される電力の供給ラインを二重線矢印で示し、信号ラインを実線矢印で示す。
【０２３９】
図５３において、主制御装置５０５、表示制御装置５０６及び払出制御装置６０３は、何れもＣＰＵ、ＲＯＭ、ＲＡＭ等を有してなる論理演算装置にて構成されており、各制御装置のＣＰＵはＲＯＭ内に予め記憶されている演算プログラムに基づいて遊技に関する各種制御を実行する。これら各制御装置は、信号ラインや中継基板等を介して接続されており、遊技に際しては制御装置間におけるコマンド等の授受によって遊技の進行が行われる。
【０２４０】
詳しくは、面替えブロック５において、主制御装置５０５には、リール中継基板５４８を介してリール装置５０３と外部端子板５７５とが接続されるとともに、サブ中継基板７０１を介して表示制御装置５０６が接続されている。リール装置５０３では、主制御装置５０５からの指令に基づいて各リール５４１〜５４３の回転が制御される。外部端子板５７５は遊技ホール等に設置されるホール管理装置（いわゆる、ホールコンピュータ）に接続される中継装置であり、この外部端子板５７５を通じて都度の遊技状況（遊技回数、当り回数等々）がホール管理装置に出力される。表示制御装置５０６は、主制御装置５０５から毎遊技の補助演出に関する各種コマンドを入力し、そのコマンドに応じて液晶表示装置５０４による補助演出を実施するとともに、ドアブロック４に設けたドア上部中継基板７０３（前記音声ランプ中継基板１０８に相当）を介してスピーカ類やランプ類の駆動を制御する。また、表示制御装置５０６は、遊技機１の電源がオンとなっている間は面替えブロック５に設けられた蛍光管５５４に対して電力を供給する。
【０２４１】
図示等による説明は省略したが、本遊技機１には、外枠２に対して遊技機主部３（ドアブロック４）が開放されたことを検知するためのドアスイッチが設けられており、このドアスイッチの検出信号はリール中継基板５４８を介して主制御装置５０５に入力されるようになっている。
【０２４２】
なお、主制御装置５０５において、ＲＡＭの一部には本遊技機１の電源遮断後においても電源装置６０４からバックアップ電圧が供給されてデータを保持（バックアップ）することが可能なバックアップエリアが設けられている。したがって、停電などの発生により電源が遮断された場合には、電源遮断時の各種データがＲＡＭのバックアップエリアに記憶保持され、次回の電源投入時（停電解消による電源投入を含む）において遊技機１の状態が電源遮断前の状態に復帰できるようになっている。
【０２４３】
また、払出ブロック６には払出ブロック中継基板７０２が設けられており、この払出ブロック中継基板７０２を介して前記面替えブロック５の主制御装置５０５と、本払出ブロック６の払出制御装置６０３や取込ユニット１６とが接続されている。加えて、払出ブロック中継基板７０２を介して前記面替えブロック５の主制御装置５０５と、ドアブロック４のドアブロック中継基板７０４とが接続されている。
【０２４４】
この場合、ドアブロック４の各種操作部材（ベットスイッチ３８、スタートレバー３３、ストップスイッチ３５〜３７）が遊技者により操作されると、これら操作部材に内蔵された操作検出部によって当該操作が検出され、都度の操作検出信号がドアブロック中継基板７０４及び払出ブロック中継基板７０２を介して主制御装置５０５に入力される。例えば、ベットスイッチ３８の操作に伴う操作検出信号が主制御装置５０５に入力された場合、主制御装置５０５は、払出ブロック中継基板７０２を介して取込ユニット１６に取込制御信号を出力する。この取込制御信号によって取込ユニット１６の各取込装置３０１〜３０３におけるソレノイド３２５が駆動され、遊技球の取込が順次行われる。遊技球取込時における遊技球取込検出センサ（センサユニット３７０、下流側取込センサ３８０）の検出信号は、やはり払出ブロック中継基板７０２を介して主制御装置５０５に入力される。
【０２４５】
また、リール装置５０３の各リールの停止図柄（ドアブロック４の視認窓２１から視認できる上下３個分の図柄、及び各図柄の組み合わせ）が所定の遊技球払出役（小役図柄、ボーナス図柄）に合致する場合には、主制御装置５０５は、都度の成立役に応じて遊技球の払出個数を設定し、その払出個数に対応する払出制御信号を払出ブロック中継基板７０２を介して払出制御装置６０３に出力する。これにより、払出制御装置６０３によって払出装置６１８（払出モータ６１９）が駆動され、遊技球の払出が行われる。
【０２４６】
なお、払出制御装置６０３において、ＲＡＭの一部には主制御装置５０５のＲＡＭと同様に、本遊技機１の電源遮断後においても電源装置６０４からバックアップ電圧が供給されてデータを保持（バックアップ）することが可能なバックアップエリアが設けられている。したがって、停電などの発生により電源が遮断された場合には、電源遮断時の各種データがＲＡＭのバックアップエリアに記憶保持され、次回の電源投入時（停電解消による電源投入を含む）において遊技機１の状態が電源遮断前の状態に復帰できるようになっている。
【０２４７】
図示は省略しているが、払出制御装置６０３には、面替えブロック５の前面枠５０１に設けた情報表示基板５１４や、球貸しユニットから貸し出される遊技球の払出等を管理する球貸しユニット接続基板６９８等が接続されている。
【０２４８】
電源装置６０４は外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置５０５や払出制御装置６０３等に対して供給する。
【０２４９】
（遊技の概略説明）
次に、上記構成の遊技機１について、遊技者により行われる遊技の概要を簡単に説明する。
【０２５０】
遊技の開始に際し、上皿１５１に遊技球が十分にある状況において遊技者によりベットスイッチ３８が押圧操作されると、取込ユニット１６の各取込装置３０１〜３０３において各々遊技球の取込が行われる。そして、ベット数に対応する所定個数（例えば１５個）の遊技球の取込が完了した後、スタートレバー３３が操作されると、リール装置５０３の各リール５４１〜５４３が一斉に又は所定順序で回転し始める。このスタートレバー３３の操作時には、主制御装置５０５において小役、再遊技（リプレイ）、ボーナスゲーム等に関する内部抽選が行われる。各リール５４１〜５４３の回転時には、その外周面に付された図柄が視認窓２１を通じて上から下へと移動するような態様で視認される。
【０２５１】
その後、遊技者によりストップスイッチ３５〜３７が任意の順序で操作されると、各ストップスイッチ３５〜３７の操作タイミングに合わせて各々対応するリール５４１〜５４３の回転が停止される。このとき、各リール５４１〜５４３の停止時には、所定の図柄を特定位置に停止させるような引き込み停止制御が適宜実施される。例えば、内部抽選により小役等が成立している場合、その小役等が成立する停止図柄の組み合わせとなるように、ストップスイッチ３５〜３７の操作タイミングから最大４図柄分、停止図柄がスライド可能となっている（停止図柄のスベリが行われる）。ちなみに、各リール５４１〜５４３の回転開始後、ストップスイッチ３５〜３７の操作がなされないまま規定時間を経過した場合にはその時点で各リール５４１〜５４３の回転が停止される。
【０２５２】
各リール５４１〜５４３の停止時（図柄停止時）において、その停止図柄及びその組み合わせが小役図柄やボーナス図柄に合致する場合、その際の成立役に応じた数の遊技球が払い出される。この場合、払出装置６１８の駆動により上皿１５１に遊技球が払い出される。この払い出しに関して詳細には、図４５に示すように、ベル図柄の組合せが停止することにより５０個の遊技球が払い出され、スイカ図柄の組合せが停止することにより３０個の遊技球が払い出され、左リール５４１にてチェリー図柄が停止することにより１０個の遊技球が払い出される。なお、遊技球の払い出しではないが、人キャラクタ図柄の組合せが停止することにより、再遊技（リプレイ）の特典が付与される。
【０２５３】
以上詳述した本実施の形態によれば、以下の優れた効果を奏する。
【０２５４】
上皿１５１の奥側領域Ｒ２に形成された各案内通路１７１〜１７３が透明パネル１３よりも奥側となるように上皿１５１を配置し、それに合わせて取込ユニット１６も透明パネル１３よりも奥側に配置した。つまり、各案内通路１７１〜１７３は奥まった位置に配置され、取込ユニット１６はドアブロック４の前面に対して奥側に離間された位置に配置されている。よって、取込ユニット１６に対して不正用冶具を挿入しようとしてもその挿入作業が行いづらくなり、当該不正用冶具を用いた不正行為を抑制することができる。
【０２５５】
この場合に、蛍光管５５４からの光により各案内通路１７１〜１７３を含めた上皿１５１の奥側領域Ｒ２が照らされる。よって、透明パネル１３などによって各案内通路１７１〜１７３が暗くなっていたとしてもそこを明るく照らすことができ、各案内通路１７１〜１７３にある遊技球の視認性を向上させることができる。
【０２５６】
特に、本実施の形態では、取込ユニット１６として取込装置３０１〜３０３が３個並設されており、これに対応して奥側領域Ｒ２には案内通路１７１〜１７３が３つ形成されている。従って、仮に、奥側領域Ｒ２に貯留されている遊技球が視認困難な構成においては、まだ遊技球が残っているのにそれに気づかず遊技を止めてしまうと、その際に遊技者が被る不利益が大きくなる。これに対して、上記のとおり奥側領域Ｒ２に貯留されている遊技球の視認性が向上されていることにより、上記不利益の発生を抑制することができる。
【０２５７】
遊技機１の電源がオンとなっている間は常に蛍光管５５４に電力が供給されるようにした。これにより、遊技機１による遊技が可能な状況下においては、常に各案内通路１７１〜１７３にある遊技球の視認性を向上させることができる。
【０２５８】
蛍光管５５４は、横長形状をなしており、その左右両端が各案内通路１７１〜１７３の左右両端よりも外側となる長さ寸法を有している。よって、各案内通路１７１〜１７３の全体をより鮮明に照らすことができ、各案内通路１７１〜１７３にある遊技球の視認性を向上させることができる。
【０２５９】
透明パネル１３と上皿１５１との間に、各案内通路１７１〜１７３よりも手前側であって透明パネル１３よりも後退した横長窓部５０を設けた。当該遊技機１においてはリール装置５０３の各リール５４１〜５４３に付された図柄の可変表示を視認しながらストップスイッチ３５〜３７を操作することで所望の図柄を停止させることを遊技の特徴としているため、遊技者の目の高さは透明パネル１３の高さにあるのが一般的である。この場合に、透明パネル１３が上皿１５１の真上まで延設されているのではなく、透明パネル１３と上皿１５１との間に透明パネル１３よりも後退した横長窓部５０が設けられていることにより、各案内通路１７１〜１７３への視界を確保することができる。また、横長窓部５０は各案内通路１７１〜１７３よりも手前側にあるので、各案内通路１７１〜１７３が奥まった位置に配置された状態は維持され、上記不正行為の抑制効果が消失されることはない。
【０２６０】
蛍光管５５４を横長窓部５０を介して配当表を表示するパネル５５９の後方に配置した。よって、蛍光管５５４が配当表に対してバックライトとして機能する。よって、配当表を明るく照らすことができ、さらには装飾効果を付与することができる。また、上述したとおり、蛍光管５５４からの光により各案内通路１７１〜１７３が照らされ、各案内通路１７１〜１７３にある遊技球の視認性が向上される。つまり、両者の機能を蛍光管５５４に共用化させることができ、各機能毎に発光手段を設ける構成に比べ、部材点数の削減を図ることができる。
【０２６１】
蛍光管５５４を奥側領域Ｒ２の上方に配置し、この蛍光管５５４から下方に照射される光が各案内通路１７１〜１７３に到達するように、面替えブロック５のベース部５５０に横長貫通孔５５８を形成し、さらに奥側領域Ｒ２の上方を覆う上覆い板１５７を透明材料で形成した。かかる構成とすることにより、簡単な構成により蛍光管５５４から照射される光を各案内通路１７１〜１７３に案内することができる。
【０２６２】
取込ユニット１６を上皿１５１に対して横並びで配置すると共に、入口通路３０５〜３０７がハウジング外部に露出されるようにハウジング３１１，３１２を形成し、入口通路３０５〜３０７の上壁を透明性を有するカバー部材１７５により構成した。これにより、入口通路３０５〜３０７内が遊技機１の前面側から視認可能となる。また、蛍光管５５４から照射される光により入口通路３０５〜３０７を照らした。これにより、透明パネル１３などによって入口通路３０５〜３０７が暗くなっていたとしても、そこを明るく照らすことができる。以上より、遊技者にとっては入口通路３０５〜３０７内の遊技球を視認することが可能となる。例えば、入口通路３０５〜３０７内の遊技球が視認できない構成においては、遊技者が入口通路３０５〜３０７内の遊技球の存否を確認することが困難なものとなるため、まだ遊技球が残っているのにそれに気づかず遊技を止めてしまうなどの不都合が発生し得る。これに対して、上記のとおり、入口通路３０５〜３０７内の遊技球を視認可能とすることで、上記不都合の発生を抑制することができる。
【０２６３】
取込装置３０１〜３０３内の入口通路３０５〜３０７を取込ゲート部材３２０に向けて下り傾斜させて設けたことにより、入口通路３０５〜３０７を通過する遊技球はその底面上を傾斜に沿って転動する。これにより、入口通路３０５〜３０７内にて連なる遊技球の重量負荷の一部が入口通路３０５〜３０７の底面により受けられ、これら遊技球の取込ゲート部材３２０に対する重量負荷が軽減される。よって、取込ゲート部材３２０の動作不良の発生を抑制することができる。特に、取込ゲート部材３２０は取込通路３１５の外部に設けられた支軸３２１に片持ち支持されているため、取込ゲート部材３２０の先端に大きな負荷が加えられると、当該部位における破損や取込ゲート部材３２０と回動片３３２との連結部分における故障などが発生し得る。これに対して、上記のように取込ゲート部材３２０にかかる重量負荷を軽減させることでかかる不都合の発生を抑制することができる。
【０２６４】
本構成において、上記のとおり、入口通路３０５〜３０７がハウジング外部に露出されるようにハウジング３１１，３１２の上部が上方に開放されている。取込装置３０１〜３０３では遊技回毎に複数の遊技球が取り込まれるため、遊技が行われる上で入口通路３０５〜３０７を通過する遊技球数は比較的多くなる。そして、入口通路３０５〜３０７を通過する遊技球はその底面上を転動するため、遊技球に埃などがついているとそれが底面上についてしまう。よって、入口通路３０５〜３０７の底面には埃などが溜まり易い。埃などが溜まると入口通路３０５〜３０７の遊技球の通過が阻害されてしまうおそれがある。また、埃などが１塊となって下流側へ流れ、センサユニット３７０によりそれが遊技球の通過と誤検知されるおそれがある。さらには、埃などが取込ゲート部材３２０側にまで溜まり、当該取込ゲート部材３２０の動作不良を引き起こすおそれがある。従って、入口通路３０５〜３０７を定期的にメンテナンスする必要が生じる。この場合に、メンテナンスの都度、取込装置３０１〜３０３のハウジング３１１，３１２を分解しなければならないとすると作業者にとって手間となってしまう。これに対して、上記のとおり、入口通路３０５〜３０７をハウジング外部に露出させることで、取込ユニット１５３を受皿ブロック５から取り外すことで容易に入口通路３０５〜３０７を掃除することができる。
【０２６５】
入口通路３０５〜３０７内にて遊技球が積み重なるのを防止すべく、入口通路３０５〜３０７の上面開放側を覆うようにカバー部材１７５を設けた。これにより、入口通路３０５〜３０７がハウジング外部に露出された構成において、入口通路３０５〜３０７内にて遊技球が積み重なるのが防止される。よって、入口通路３０５〜３０７を遊技球が円滑に流下するようになる。
【０２６６】
取込装置３０１〜３０３のハウジング３１１，３１２には、排出通路３１６側からの通路壁を入口通路３０５〜３０７側に延出させて延出壁３１８を形成した。そして、この延出壁３１８は遮光性を有し、センサユニット３７０の各素子が発光及び受光を行うための透孔３７８の上方を覆っている。これにより、上記のように入口通路３０５〜３０７をハウジング外部に露出させた構成において、蛍光管５５４から照射された光が透孔３７８の位置まで入り込むことを抑制することができる。センサユニット３７０が光学式のセンサであるため、外部からの光が入り込むと遊技球の検知を正確に行えなくなる。そして、センサユニット３７０により予め定められた数（例えば、１５個）の遊技球が検知されることにより遊技の開始が許容されるため、センサユニット３７０にて遊技球の検知が正確に行えないと、遊技に支障をきたし得る。これに対して、上記のとおり、延出壁３１８により透孔３７８の上方を覆うことにより、蛍光管５５４から照射された光が透孔３７８の位置まで入りづらくなる。よって、入口通路３０５〜３０７をハウジング外部に露出させた構成において、センサユニット３７０にて遊技球の検知が正確に行えなくなることを抑制することができる。
【０２６７】
なお、以上説明した実施の形態の他、例えば次のように実施してもよい。
【０２６８】
（１）蛍光管５５４を配置する位置は、上皿１５１の奥側領域Ｒ２の上方に限定されることはなく、当該蛍光管５５４により少なくとも奥側領域Ｒ２に形成された各案内通路１７１〜１７３を照らすことができるのであれば、その配置位置は任意である。例えば、上皿１５１を透明材料で形成して蛍光管５５４を上皿１５１の下方に配置してもよい。また、上皿１５１の後方に蛍光管５５４を配置してもよい。
【０２６９】
また、蛍光管５５４の光をミラーなどといった光反射手段を用いて案内通路１７１〜１７３に導く構成としてもよい。かかる構成においては、蛍光管５５４を上皿１５１に近接させて配置する必要はなく、蛍光管５５４の配置位置の自由度が高められる。
【０２７０】
（２）上記実施の形態では、遊技機１の電源がオンとなっている間は常に蛍光管５５４に電力が供給される構成であったが、これを変更してもよい。例えば、表示制御装置５０６や主制御装置５０５などといった制御装置の制御に基づいて蛍光管５５４をオン／オフ制御する構成としてもよい。本構成では、リール５４１〜５４３の回転停止後の所定期間、蛍光管５５４をオン制御する構成とすることで、１の遊技回の終了後は所定期間、案内通路１７１〜１７３にある遊技球の視認性を向上させることができる。また、賞球が発生した場合に蛍光管５５４をオン制御することで、賞球の発生に合わせた光の演出を行うことができる。つまり、本構成によれば、案内通路１７１〜１７３にある遊技球の視認性を向上させつつ、蛍光管５５４の光による装飾効果をより効果的なものとすることができる。
【０２７１】
（３）上記実施の形態では、発光手段として白色光を照射する蛍光管５５４を設けたが、これに代えて、青色や赤色などの光を照射する発光手段を設けてもよい。
【０２７２】
（４）上記実施の形態では、蛍光管５５４には表示制御装置５０６から電力が供給される構成としたが、主制御装置５０５から電力が供給される構成としてもよい。また、電源装置６０４から直接電力が供給される構成としてもよい。
【０２７３】
（５）上記実施の形態では、リール装置５０３を面替えブロック５としてユニット化して設けたが、かかる構成に代えて、リール装置５０３をドアブロック４に直接取り付ける構成としてもよい。但し、本構成においては、面替えブロック５に設けられていた配当表及び蛍光管５５４をドアブロック４に設ける必要がある。本構成としては、例えば、配当表を横長窓部５０の背面に付与し、横長窓部５０の奥側に蛍光管５５４を配置する構成が考えられる。
【０２７４】
（６）上記実施の形態では、横長窓部５０の後方に配当表が付与されたパネル５５９を設けることで横長窓部５０を介して配当表を表示したが、これを変更してもよい。例えば、横長窓部５０の背面にインクを塗布することで横長窓部５０に対して一体的に装飾や遊技情報を設けてもよい。また、上記実施の形態では、パネル５５９を横長窓部５０に対して後方に離間させて配置したが、パネル５５９を横長窓部５０に直接貼り付けてもよい。
【０２７５】
（７）上記実施の形態では、蛍光管５５４の下方領域に奥側領域Ｒ２及び各入口通路３０５〜３０７のそれぞれの一部が含まれない構成であったが、これらのすべてが含まれる構成としてもよい。かかる構成とすることにより、奥側領域Ｒ２及び各入口通路３０５〜３０７の全体を明るく照らすことができる。
【０２７６】
（８）上記実施の形態では、入口通路３０５〜３０７を略水平方向に設けたが、これに代えて略鉛直方向に設けてもよい。本構成においても、取込装置３０１〜３０３を上皿１５１に対して横並びで配置すると共に、入口通路３０５〜３０７の上方に位置する遊技機構成部材を透明材料で形成することにより、遊技者にとっては入口通路３０５〜３０７内の遊技球の存否を目視により確認することが可能となる。
【０２７７】
（９）上記実施の形態では、ハウジング３１１，３１２に延出壁３１８を設けることで透孔３７８の位置に蛍光管５５４から照射された可視光が入り込みづらくなるようにしたが、これを変更してもよい。例えば、延出壁３１８を設けずにかかる位置もカバー部材１５２により覆う構成とする。そして、カバー部材１５２における透孔３７８の上方に位置する部位に、遮光テープの貼付などにより遮光性を付与する。これにより、延出壁３１８を設けることなく、蛍光管５５４からの可視光を透孔３７８の位置に入りづらくすることができる。
【０２７８】
（１０）上記実施の形態では、カバー部材１５２を上皿１５１に対して着脱可能に設けたが、カバー部材１５２を上皿１５１と一体形成してもよい。本構成においては、上皿１５１全体を透明性材料により形成し、遮光すべき箇所については遮光テープを貼り付けたり、遮光インクを塗る構成とすることで、透明性部分と遮光性部分とに区分けすることができる。
【０２７９】
また、カバー部材１５２を取込装置３０１〜３０３のハウジング３１１，３１２に対して着脱可能に取り付けてもよい。但し、入口通路３０５〜３０７の掃除を容易なものとすべく、ハウジング３１１，３１２に対するカバー部材１５２の固定は簡易的なものとすることが望ましい。当該構成としては、例えば、カバー部材１５２に係合レール部を設け、その係合レール部をハウジング３１１，３１２に形成したレール溝に嵌合させる構成が考えられる。
【０２８０】
（１１）上記実施の形態では、取込ユニット１６として取込装置３０１〜３０３を３個設ける構成としたが、取込装置を１個のみ設ける構成としてもよい。また、取込装置を２個、４個、５個又は６個以上設ける構成としてもよい。
【０２８１】
（１２）上記実施の形態における遊技球の、１ベット当りの投入数（所定数）、最大投入数、払出個数等はあくまでも例示であって、上記数値に特に限定されるものではない。
【図面の簡単な説明】
【０２８２】
【図１】一実施の形態における遊技機の全体を示す斜視図である。
【図２】遊技機の正面図である。
【図３】遊技機の内部開放状態を示す斜視図である。
【図４】遊技機の内部開放状態を示す斜視図である。
【図５】遊技機の背面図である。
【図６】遊技機主部とその開閉動作の概要を模式的に示す図である。
【図７】ドアブロックを後方から見た斜視図である。
【図８】ドアブロックの主要な構成を分解して示す斜視図である。
【図９】ドアブロックの主要な構成を分解して示す斜視図である。
【図１０】前扉体と内枠とを分離して示す斜視図である。
【図１１】前扉体と内枠とを分離して示す斜視図である。
【図１２】ドアブロックにおいて上部カバー部を分離して示す斜視図である。
【図１３】施錠装置の詳細な構成を示す斜視図である。
【図１４】施錠装置の詳細な構成を示す斜視図である。
【図１５】施錠装置の詳細な構成を示す斜視図である。
【図１６】上皿ユニットの斜視図である。
【図１７】（ａ）は上皿ユニットの上方から見た平面図、（ｂ）は上皿ユニットの下方から見た平面図である。
【図１８】上皿ユニットの分解斜視図である。
【図１９】上皿の斜視図である。
【図２０】上皿の平面図である。
【図２１】上皿と該上皿に設けられるカバー部材とを示す斜視図である。
【図２２】一部破断面を含む遊技機の側面図である。
【図２３】排出操作伝達装置の構成を示す斜視図である。
【図２４】排出操作伝達装置の構成を示す平面図である。
【図２５】球留め装置の分解斜視図である。
【図２６】球留め装置の構成を示す平面図である。
【図２７】取込ユニットを上皿下方に装着した状態及び分離させた状態を後方側から示す背面図である。
【図２８】球留め装置の操作状態と遊技球の流れとの関係を示す図である。
【図２９】取込ユニットの斜視図である。
【図３０】取込ユニットの斜視図である。
【図３１】取込ユニットの分解斜視図である。
【図３２】取込装置の内部構造を示す断面図である。
【図３３】取込装置の分解斜視図である。
【図３４】上皿の開口部周辺の構成を示す図である。
【図３５】排出ゲート部材の構成を示す斜視図である。
【図３６】排出ゲート部材の動作を説明するための説明図である。
【図３７】面替えブロックの斜視図である。
【図３８】面替えブロックの斜視図である。
【図３９】面替えブロックの正面図である。
【図４０】面替えブロックの分解斜視図である。
【図４１】面替えブロックの分解斜視図である。
【図４２】前面枠の構成を示す斜視図である。
【図４３】図２２の部分拡大図である。
【図４４】面替えブロックの正面図である。
【図４５】パネルに付与された遊技情報を説明するための説明図である。
【図４６】リール装置の構成を示す斜視図である。
【図４７】払出ブロックの斜視図である。
【図４８】払出ブロックの斜視図である。
【図４９】払出ブロックの背面図である。
【図５０】払出ブロックから払出装置等を分離させて示す斜視図である。
【図５１】払出ブロックから制御装置類を取り外した状態を示す斜視図である。
【図５２】払出ブロックから制御装置類を取り外した状態を示す背面図である。
【図５３】遊技機の電気的構成を説明するためのブロック図である。
【符号の説明】
【０２８３】
１…遊技機、２…外枠、４…ドアブロック、５…面替えブロック、６…払出ブロック、１１…前扉体、１２…内枠、１３…窓部としての透明パネル、１６…取込ユニット、２１…視認窓、３３…始動操作手段としてのスタートレバー、３５〜３７…停止操作手段としてのストップスイッチ、５０…後退壁部としての横長窓部、９２…上部スピーカ、９４…上部カバー体、１０７…ランプ基板、１２０…施錠装置、１５１…球受け皿としての上皿、１５２…遊技機構成部材としてのカバー部材、１５７…上覆い板、１６２ａ…奥側壁部、１６４…球出口としての開口部、１７１〜１７３…出口通路としての案内通路、３０１〜３０３…取込装置、３０５〜３０７…上流通路としての入口通路、３１１，３１２…ハウジング、３１５…取込通路、３２０…球止め部材としての取込ゲート部材、３２５…駆動手段としてのソレノイド、３７０…球検知手段としてのセンサユニット、５０１…前面枠、５０３…絵柄表示装置としてのリール装置、５０４…液晶表示装置、５０５…主制御装置、５０６…表示制御装置、５１６…下パネル部、５５０…ベース部、５５４…発光手段としての蛍光管、５５７…下壁部、５５８…横長貫通孔、６１８…払出装置、Ｒ２…奥側領域。
【図１】
0004802675.tif 000002
【図２】
0004802675.tif 000003
【図３】
0004802675.tif 000004
【図４】
0004802675.tif 000005
【図５】
0004802675.tif 000006
【図６】
0004802675.tif 000007
【図７】
0004802675.tif 000008
【図８】
0004802675.tif 000009
【図９】
0004802675.tif 000010
【図１０】
0004802675.tif 000011
【図１１】
0004802675.tif 000012
【図１２】
0004802675.tif 000013
【図１３】
0004802675.tif 000014
【図１４】
0004802675.tif 000015
【図１５】
0004802675.tif 000016
【図１６】
0004802675.tif 000017
【図１７】
0004802675.tif 000018
【図１８】
0004802675.tif 000019
【図１９】
0004802675.tif 000020
【図２０】
0004802675.tif 000021
【図２１】
0004802675.tif 000022
【図２２】
0004802675.tif 000023
【図２３】
0004802675.tif 000024
【図２４】
0004802675.tif 000025
【図２５】
0004802675.tif 000026
【図２６】
0004802675.tif 000027
【図２７】
0004802675.tif 000028
【図２８】
0004802675.tif 000029
【図２９】
0004802675.tif 000030
【図３０】
0004802675.tif 000031
【図３１】
0004802675.tif 000032
【図３２】
0004802675.tif 000033
【図３３】
0004802675.tif 000034
【図３４】
0004802675.tif 000035
【図３５】
0004802675.tif 000036
【図３６】
0004802675.tif 000037
【図３７】
0004802675.tif 000038
【図３８】
0004802675.tif 000039
【図３９】
0004802675.tif 000040
【図４０】
0004802675.tif 000041
【図４１】
0004802675.tif 000042
【図４２】
0004802675.tif 000043
【図４３】
0004802675.tif 000044
【図４４】
0004802675.tif 000045
【図４５】
0004802675.tif 000046
【図４６】
0004802675.tif 000047
【図４７】
0004802675.tif 000048
【図４８】
0004802675.tif 000049
【図４９】
0004802675.tif 000050
【図５０】
0004802675.tif 000051
【図５１】
0004802675.tif 000052
【図５２】
0004802675.tif 000053
【図５３】
0004802675.tif 000054